(57)【特許請求の範囲】
【請求項１】
湿度調節機能を有する空気清浄機であって、
空気に含まれる塵埃を除去する空気清浄フィルタ（２２，５２０）と、
供給された水を気化させて加湿する加湿エレメント（２４，５３３）と、
前記空気清浄フィルタ（２２，５２０）、及び前記加湿エレメント（２４，５３３）に送風するファン（２５，５１２ａ）と、
前記空気清浄フィルタ（２２，５２０）、前記加湿エレメント（２４，５３３）及び前記ファン（２５，５１２ａ）を収納する本体ケーシング（３１，５１１）と、
を備え、
下方から前記ファン（２５，５１２ａ）、前記空気清浄フィルタ（２２，５２０）及び前記加湿エレメント（２４，５３３）の順にそれらが配置されており、
前記本体ケーシング（３１，５１１）は、
前記ファン（２５，５１２ａ）が配置される送風室（３１ａ，Ｓ１）と、
前記空気清浄フィルタ（２２，５２０）が配置される空気清浄室（３１ｂ，Ｓ２）と、
前記加湿エレメント（２４，５３３）が配置される加湿室（３１ｃ，Ｓ３）と、
前記送風室（３１ａ，Ｓ１）から前記空気清浄室（３１ｂ，Ｓ２）へ空気を通す第１開口（３１１，Ｋ１）と、
前記空気清浄室（３１ｂ，Ｓ２）から前記加湿室（３１ｃ，Ｓ３）へ空気を通す第２開口（３１２，Ｋ２）と、
を有し、
前記第１開口（３１１，Ｋ１）と前記第２開口（３１２，Ｋ２）とが上面視においてずれている、
空気清浄機（１０，５１０）。
【請求項２】
前記第１開口（３１１，Ｋ１）は前記空気清浄フィルタ（２２，５２０）の中心に対して一側方にずれており、
前記第２開口（３１２，Ｋ２）は前記空気清浄フィルタ（２２，５２０）の中心に対して前記一側方とは反対側にずれている、
請求項１に記載の空気清浄機（１０，５１０）。
【請求項３】
前記送風室（３１ａ，Ｓ１）には、前記ファン（２５，５１２ａ）を駆動するファンモータ（２６，５１２ｂ）がさらに配置され、
前記加湿室（３１ｃ，Ｓ３）には、前記加湿エレメント（２４，５３３）に水を供給する貯水タンク（４０，５３１）がさらに配置され、
前記ファンモータ（２６，５１２ｂ）は前記空気清浄フィルタ（２２，５２０）の中心に対して一側方にずれており、
前記貯水タンク（４０，５３１）は前記空気清浄フィルタ（２２，５２０）の中心に対して前記一側方とは反対側にずれている、
請求項１に記載の空気清浄機（１０，５１０）。
【請求項４】
前記空気清浄フィルタ（２２，５２０）の水平投影面積は、前記空気清浄室（３１ｂ，Ｓ２）の水平投影面積の８０％以上であり、
前記第１開口（３１１，Ｋ１）の面積は、前記空気清浄室（３１ｂ，Ｓ２）の水平投影面積の２０％〜３０％の範囲に設定され、
前記第２開口（３１２，Ｋ２）の面積は、前記空気清浄室（３１ｂ，Ｓ２）の水平投影面積の４０％〜５０％の範囲に設定されている、
請求項１に記載の空気清浄機（１０，５１０）。
【請求項５】
前記本体ケーシング（５１１）には、前記第２開口（Ｋ２）の上方に、前記加湿室（Ｓ３）から前記加湿エレメント（５３３）を通過させずに前記本体ケーシング（５１１）外に空気を導く、バイパス開口（５１１ｈａ）が形成される、
請求項１に記載の空気清浄機（５１０）。
【請求項６】
湿度調節機能を有する空気清浄機であって、
空気に含まれる塵埃を除去する空気清浄フィルタ（５２０）と、
供給された水を気化させて加湿する加湿エレメント（５３３）と、
前記空気清浄フィルタ（５２０）、及び前記加湿エレメント（５３３）に送風するファン（５１２ａ）と、
前記空気清浄フィルタ（５２０）の上方に配置される気流ガイド（５２４）と、
を備え、
下方から前記ファン（５１２ａ）、前記空気清浄フィルタ（５２０）及び前記加湿エレメント（５３３）の順にそれらが配置されており、
前記気流ガイド（５２４）は、前記空気清浄フィルタ（５２０）を通過した空気を前記加湿エレメント（５３３）へと導く湾曲した第１ガイド面（５２４ｂ）を有し、
前記気流ガイド（５２４）は、前記空気清浄フィルタ（５２０）の少なくとも一部を収容するフィルタケース（５２３）と一体に形成される、
空気清浄機（５１０）。
【請求項７】
前記加湿エレメント（５３３）の下方に配置され、前記加湿エレメント（５３３）に供給される水を貯留する水貯留トレイ（５３２）、
を更に備え、
前記水貯留トレイ（５３２）は、前記水貯留トレイ（５３２）の下部に、前記空気清浄フィルタ（５２０）を通過した空気を前記加湿エレメント（５３３）へと導く湾曲した第２ガイド面（５３２ａ）を有し、
前記第１ガイド面（５２４ｂ）及び前記第２ガイド面（５３２ａ）は、隙間（Ｇ）を挟んで連続したカーブを描く、
請求項６に記載の空気清浄機（５１０）。
【請求項８】
前記加湿エレメント（５３３）の下方に配置され、前記加湿エレメント（５３３）に供給される水を貯留する水貯留トレイ（５３２）、
を更に備え、
前記気流ガイド（５２４）は、前記水貯留トレイ（５３２）の、前記空気清浄フィルタ（５２０）が配置される空気清浄室（Ｓ２）から前記加湿エレメント（５３３）が配置される加湿室（Ｓ３）へ空気を通す第２開口（Ｋ２）側の下部を覆うように形成された延長部（５２４ｅ）を有し、
前記延長部（５２４ｅ）は、前記空気清浄フィルタ（５２０）を通過した空気を前記加湿エレメント（５３３）へと導く湾曲した延長ガイド面（５２４ｅａ）を有し、
前記延長ガイド面（５２４ｅａ）は、前記第１ガイド面（５２４ｂ）と連続したカーブを描く、
請求項６に記載の空気清浄機（５１０）。
【請求項９】
湿度調節機能を有する空気清浄機であって、
空気に含まれる塵埃を除去する空気清浄フィルタ（５２０）と、
供給された水を気化させて加湿する加湿エレメント（５３３）と、
前記空気清浄フィルタ（５２０）、及び前記加湿エレメント（５３３）に送風するファン（５１２ａ）と、
前記加湿エレメント（５３３）の下方に配置され、前記加湿エレメント（５３３）に供給される水を貯留する水貯留トレイ（５３２）と、
を備え、
下方から前記ファン（５１２ａ）、前記空気清浄フィルタ（５２０）及び前記加湿エレメント（５３３）の順にそれらが配置されており、
前記水貯留トレイ（５３２）は、前記水貯留トレイ（５３２）の下部に、前記空気清浄フィルタ（５２０）を通過した空気を前記加湿エレメント（５３３）へと導く湾曲した第２ガイド面（５３２ａ）を有する、
空気清浄機（５１０）。
【発明の詳細な説明】
【技術分野】
【０００１】
本発明は、空気清浄機、特に加湿機能付きの空気清浄機に関する。
【背景技術】
【０００２】
近年、特許文献１（特開２０１０−１７６８５号公報）に記載されているような加湿機能付き空気清浄機が広く普及している。この空気清浄機は、本体の奥行き方向に向かって上流側から空気清浄フィルタ、加湿エレメント、ファンの順にそれらが配置されている。
【発明の概要】
【発明が解決しようとする課題】
【０００３】
一般に、特許文献１（特開２０１０−１７６８５号公報）に記載のような空気清浄機では、高出力時のファン音が空気の流れに沿って吹出口から漏れ易いという傾向が見られる。
【０００４】
そこで、本発明の課題は、ファンに起因する騒音を抑制した空気清浄機を提供することにある。
【課題を解決するための手段】
【０００５】
本発明の第１観点に係る空気清浄機は、湿度調節機能を有する空気清浄機であって、空気清浄フィルタと、加湿エレメントと、ファンと、本体ケーシングとを備えている。空気清浄フィルタは、空気に含まれる塵埃を除去する。加湿エレメントは、供給された水を気化させて加湿する。ファンは、空気清浄フィルタおよび加湿エレメントに送風する。本体ケーシングは、空気清浄フィルタ、加湿エレメントおよびファンを収納する。そして、下方からファン、空気清浄フィルタおよび加湿エレメントの順にそれらが配置されている。本体ケーシングは、送風室と、空気清浄室と、加湿室と、第１開口と、第２開口とを有している。送風室には、ファンが配置される。空気清浄室には、空気清浄フィルタが配置される。加湿室には、加湿エレメントが配置される。第１開口は、送風室から空気清浄室へ空気を通す。第２開口は、空気清浄室から加湿室へ空気を通す。そして、第１開口と第２開口とが上面視においてずれている。
【０００６】
この空気清浄機では、下方からファンによって吸い込まれた空気は、上方の空気清浄フィルタを通過した後、さらに上方の加湿エレメントを通過して吹き出される。音源であるファンが最下方に位置するので、ファン音は空気の流れと同様に下から上に向って伝播する傾向を示す。それゆえ、ファン出力が大きいときには、ファンから発せられる音が空清フィルタおよび加湿フィルタによって減衰させられるので、騒音が抑制される。また、本体ケーシングは縦に延びる形状となるので、設置面積が小さくなる。さらに、メンテナンスを要する加湿エレメントが上に位置するので、メンテナンス作業が容易になる。
【０００７】
一般的には、空気清浄室に入った空気によって空気清浄フィルタ全面に静圧が作用し、空気は空気清浄フィルタを通過するが、その際、空気清浄フィルタのうち第１開口と対向する部分および第２開口と対向する部分における空気の速度が速まる。仮に、第１開口と第２開口とが上面視において広範囲に重なっている場合は、その重なり部分における空気清浄フィルタを通過する速度が速まり、速度分布としてはその重なり部分だけが突出し、重なり部分から遠い位置では空気が通過しない若しくは速度が極端に小さくなる傾向を示す。しかしながら、この空気清浄機では、第１開口と第２開口とが上面視においてずれることによって、重なり部分をゼロにする又は縮小するので、空気が空気清浄フィルタを通過する際の速度分布は、より裾野の広い分布となり、空気が通過しない又は速度が極端に小さくなる部分が減少する。
【０００８】
本発明の他の観点に係る空気清浄機は、加湿エレメントに水を供給する貯水タンクをさらに備える。加湿エレメントおよび貯水タンクは、空気清浄フィルタより上方の加湿室に配置される。
【０００９】
本発明の第２観点に係る空気清浄機は、第１観点に係る空気清浄機であって、第１開口は空気清浄フィルタの中心に対して一側方にずれており、第２開口は空気清浄フィルタの中心に対してその一側方とは反対側にずれている。
【００１０】
本発明の第３観点に係る空気清浄機は、第１観点に係る空気清浄機であって、送風室には、ファンを駆動するファンモータがさらに配置されている。加湿室には、加湿エレメントに水を供給する貯水タンクがさらに配置されている。ファンモータは空気清浄フィルタの中心に対して一側方にずれており、貯水タンクは空気清浄フィルタの中心に対してその一側方とは反対側にずれている。
【００１１】
この空気清浄機では、重量のあるファンモータと貯水タンクとが上面視において同一側に偏っているよりも、互いに反対方向（左右に若しくは前後）に離れている方が、本体の直立安定性がよい。
【００１２】
本発明の第４観点に係る空気清浄機は、第１観点に係る空気清浄機であって、空気清浄フィルタの水平投影面積は、空気清浄室の水平投影面積の８０％以上である。第１開口の面積は、空気清浄室の水平投影面積の２０％〜３０％の範囲に設定されている。第２開口の面積は、空気清浄室の水平投影面積の４０％〜５０％の範囲に設定されている。
【００１３】
一般的には、第１開口はファンからの吹き出し空気が通過するので、空気清浄フィルタにおける第１開口の対向部分は空気の通過速度が速くなり易く、一部分が突出した速度分布になる傾向にある。しかしながら、この空気清浄機では、第１開口に比べて第２開口を大きく設定することによって、且つ、それらが上面視においてずれることによって、重なり部分はゼロになり又は縮小するので、空気が空気清浄フィルタを通過する際の速度分布は、より裾野の広い分布となり、空気が通過しない又は速度が極端に小さくなる部分が減少する。
【００１４】
本発明の第５観点に係る空気清浄機は、第１観点に係る空気清浄機であって、本体ケーシングには、第２開口の上方に、加湿室から加湿エレメントを通過させずに本体ケーシング外に空気を導く、バイパス開口が形成される。
【００１５】
この空気清浄機では、バイパス開口が第２開口の上方に設けられるため、圧力損失をほとんど生じさせることなく、空気の一部をバイパス開口から本体ケーシング外に導くことができる。そのため、空気清浄フィルタに大きな風量の空気を通過させることが容易である。さらに、ここでは、上面視において第１開口と第２開口とをずらして配置していることから、空気清浄フィルタの全面に偏りなく大きな風量の空気を通過させ、効率よく空気からの塵埃の除去処理を行うことができる。
【００１６】
本発明の他の観点に係る空気清浄機では、ファンがシロッコファンである。それゆえ、風量が安定する。
【００１７】
本発明の第６観点に係る空気清浄機は、湿度調節機能を有する空気清浄機であって、空気清浄フィルタと、加湿エレメントと、ファンと、気流ガイドとを備えている。空気清浄フィルタは、空気に含まれる塵埃を除去する。加湿エレメントは、供給された水を気化させて加湿する。ファンは、空気清浄フィルタおよび加湿エレメントに送風する。気流ガイドは、空気清浄フィルタの上方に配置される。下方からファン、空気清浄フィルタおよび加湿エレメントの順にそれらが配置されている。気流ガイドは、空気清浄フィルタを通過した空気を加湿エレメントへと導く湾曲した第１ガイド面を有する。気流ガイドは、空気清浄フィルタの少なくとも一部を収容するフィルタケースと一体に形成される。
【００１８】
この空気清浄機では、気流ガイドを設けることで、空気清浄フィルタを通過した空気を加湿エレメントへと滑らかに導くことが容易で、圧力損失を抑制しながら加湿エレメントへと空気を導くことができる。
【００１９】
この空気清浄機では、空気清浄フィルタを収容するフィルタケースと気流ガイドとが一体に形成されるため、空気清浄フィルタを通過した空気を他の経路に逃すことなく加湿エレメントへと導くことが容易である。
【００２０】
本発明の第７観点に係る空気清浄機は、第６観点に係る空気清浄機であって、加湿エレメントの下方に配置され、加湿エレメントに供給される水を貯留する水貯留トレイを更に備える。水貯留トレイは、水貯留トレイの下部に、空気清浄フィルタを通過した空気を加湿エレメントへと導く湾曲した第２ガイド面を有する。第１ガイド面および第２ガイド面は、隙間を挟んで連続したカーブを描く。
【００２１】
この空気清浄機では、第１ガイド面および第２ガイド面が連続したカーブを描くことで、空気清浄フィルタを通過した空気を加湿エレメントへと滑らかに導くことが容易で、圧力損失を抑制しながら加湿エレメントへと空気を導くことができる。
【００２２】
本発明の第８観点に係る空気清浄機は、第６観点に係る空気清浄機であって、加湿エレメントの下方に配置され、加湿エレメントに供給される水を貯留する水貯留トレイを更に備える。気流ガイドは、水貯留トレイの第２開口側の下部を覆うように形成された延長部を有する。延長部は、空気清浄フィルタを通過した空気を加湿エレメントへと導く湾曲した延長ガイド面を有する。延長ガイド面は、第１ガイド面と連続したカーブを描く。
【００２３】
この空気清浄機では、水貯留トレイの第２開口側の下部が気流ガイドにより覆われ、気流ガイドが、連続したカーブを描く第１ガイド面および延長ガイド面を有するため、空気清浄フィルタを通過した空気を、気流ガイドと水貯留トレイとの間に生じる隙間に流すことなく、圧力損失を抑制しながら加湿エレメントへと導くことができる。
【００２４】
本発明の第９観点に係る空気清浄機は、湿度調節機能を有する空気清浄機であって、空気清浄フィルタと、加湿エレメントと、ファンと、水貯留トレイとを備えている。空気清浄フィルタは、空気に含まれる塵埃を除去する。加湿エレメントは、供給された水を気化させて加湿する。ファンは、空気清浄フィルタおよび加湿エレメントに送風する。水貯留トレイは、加湿エレメントの下方に配置され、加湿エレメントに供給される水を貯留する。下方からファン、空気清浄フィルタおよび加湿エレメントの順にそれらが配置されている。水貯留トレイは、水貯留トレイの下部に、空気清浄フィルタを通過した空気を加湿エレメントへと導く湾曲した第２ガイド面を有する。
【００２５】
この空気清浄機では、水貯留トレイの下部に第２ガイド面を設けることで、空気清浄フィルタを通過した空気を加湿エレメントへと滑らかに導くことが容易で、圧力損失を抑制しながら加湿エレメントへと空気を導くことができる。
【発明の効果】
【００２６】
本発明の第１観点に係る空気清浄機では、下方からファンによって吸い込まれた空気は、上方の空気清浄フィルタを通過した後、さらに上方の加湿エレメントを通過して吹き出される。音源であるファンが最下方に位置するので、ファン音は空気の流れと同様に下から上に向って伝播する傾向を示す。それゆえ、ファン出力が大きいときには、ファンから発せられる音が空清フィルタおよび加湿フィルタによって減衰させられるので、騒音が抑制される。また、本体ケーシングは縦に延びる形状となるので、設置面積が小さくなる。さらに、メンテナンスを要する加湿エレメントが上に位置するので、メンテナンス作業が容易になる。
【００２７】
また、本発明の第１観点又は第２観点に係る空気清浄機では、第１開口と第２開口とが上面視においてずれることによって、重なり部分をゼロにする又は縮小するので、空気が空気清浄フィルタを通過する際の速度分布は、より裾野の広い分布となり、空気が通過しない又は速度が極端に小さくなる部分が減少する。
【００２８】
本発明の第３観点に係る空気清浄機では、重量のあるファンモータと貯水タンクとが上面視において同一側に偏っているよりも、互いに反対方向（左右に若しくは前後）に離れている方が、本体の直立安定性がよい。
【００２９】
本発明の第４観点に係る空気清浄機では、第１開口に比べて第２開口を大きく設定することによって、且つ、それらが上面視においてずれることによって、重なり部分はゼロになり若しくは縮小するので、空気が空気清浄フィルタを通過する際の速度分布は、より裾野の広い分布となり、空気が通過しない又は速度が極端に小さくなる部分が減少する。
【００３０】
本発明の第５観点に係る空気清浄機では、空気清浄フィルタの全面に偏りなく大きな風量の空気を通過させ、効率よく空気からの塵埃の除去処理を行うことができる。
【００３１】
本発明の他の観点に係る空気清浄機は、ファンがシロッコファンであるので、風量が安定する。
【００３２】
本発明の第６観点に係る空気清浄機では、空気清浄フィルタを通過した空気を加湿エレメントへと滑らかに導くことが容易で、圧力損失を抑制しながら加湿エレメントへと空気を導くことができる。
【００３３】
また、本発明の第６観点に係る空気清浄機では、フィルタケースと気流ガイドとが一体に形成されるため、空気清浄フィルタを通過した空気を他の経路に逃すことなく加湿エレメントへと導くことが容易である。
【００３４】
本発明の第７観点および第９観点に係る空気清浄機では、空気清浄フィルタを通過した空気を加湿エレメントへと滑らかに導くことが容易で、圧力損失を抑制しながら加湿エレメントへと空気を導くことができる。
【００３５】
本発明の第８観点に係る空気清浄機では、空気清浄フィルタを通過した空気を、気流ガイドと水貯留トレイとの間に生じる隙間に流すことなく、圧力損失を抑制しながら加湿エレメントへと導くことができる。
【図面の簡単な説明】
【００３６】
【図１】本発明の第１実施形態に係る空気清浄機を斜め前方から視たときの当該空気清浄機の斜視図である。
【図２】空気清浄機の断面図である。
【図３】空気清浄機における第１開口および第２開口の水平投影図である。
【図４】図３の空気清浄機よりも小型の空気清浄機の第１開口および第２開口の水平投影図である。
【図５Ａ】図３に示すように第１開口と第２開口とが上面視でずれている場合の空気清浄フィルタ通過後の空気の速度分布図である。
【図５Ｂ】上面視において第２開口が第１開口側に完全に重なっている場合の空気清浄フィルタ通過後の空気の速度分布図である。
【図６】本発明の第２実施形態に係る空気清浄機の斜視図である。
【図７】図６に係る空気清浄機のVII-VII矢視の断面図である。空気清浄機の内部を右方から見た断面図である。
【図８】図６に係る空気清浄機のVIII-VIII矢視の断面図である。空気清浄機の内部を前方から見た断面図である。
【図９】図６に係る空気清浄機のケーシング内に収容された加湿エレメントの周辺を上方から見た図である。
【図１０】図６に係る空気清浄機のファン周辺の構造およびファンから吹き出す空気の流れの向きについて説明するための図面である。
【図１１】図６に係る空気清浄機において用いられる集塵フィルタの平面図である。
【図１２】図１１に係る集塵フィルタを通過する空気の向きを模式的に示した図である。（ａ）は、集塵フィルタの折り目とスクロールケーシングの舌部が延びる方向（ファンの回転軸方向）とが直交する場合について、集塵フィルタを通過する空気の向きを模式的に示した図である。（ｂ）は、集塵フィルタの折り目とスクロールケーシングの舌部が延びる方向とが平行な場合について、集塵フィルタを通過する空気の向きを模式的に示した図である。
【図１３】図６に係る空気清浄機の、脱臭フィルタを収容したフィルタケースを左前方から見た斜視図である。
【図１４】図１３に係るフィルタケースを右前方から見た斜視図である。
【図１５】図１３に係るフィルタケースに隣接して設けられる脱臭フィルタ検知センサについて説明するための図面である。（ａ）は、フィルタケースに脱臭フィルタが収容されていない場合の脱臭フィルタ検知センサの状態を示している。（ｂ）は、フィルタケースに脱臭フィルタが収容されている場合の脱臭フィルタ検知センサの状態を示している。
【図１６】図６に係る空気清浄機の加湿トレイのケーシングへの取り付け、および、加湿エレメントのロータ回転軸と加湿用モータの駆動軸との連結について説明するための図である。
【図１７】図６に係る空気清浄機における空気の流れを説明するための図である。図１７は、ケーシングの内部を前方から見た断面図を用いて空気の流れを説明している。
【図１８】図６に係る空気清浄機の、特に加湿ユニットおよびバイパス開口回りの空気の流れについて説明するための図である。加湿エレメントの図示は省略している。
【図１９】図６に係る空気清浄機の加湿ユニットおよび空気清浄フィルタの取り外しの過程を前方から見た断面図である。（ａ）は加湿ユニットおよび空気清浄フィルタの取り外し前の状態を示している。（ｂ）は加湿ユニットの加湿タンクの取り外しの状態を示している。（ｃ）は加湿ユニットの加湿トレイの取り外しの状態を示している。（ｄ）は空気清浄フィルタの脱臭フィルタの取り外しの状態を示している。（ｅ）は空気清浄フィルタの集塵フィルタの取り外しの状態を示している。
【図２０】図６に係る空気清浄機の加湿ユニットの取り外しの過程を左前方から見た概略斜視図である。（ａ）は加湿ユニットの取り外し前の状態を示している。（ｂ）は加湿タンクの取り外しの状態を示している。（ｃ）は加湿タンクを取り外した状態を示している。（ｄ）は加湿トレイの取り外しの状態を示している。
【図２１】図６に係る空気清浄機において、集塵フィルタを取り付けずに、フィルタケースを取り付けた状態を模式的に描画した図である。
【図２２】変形例Ｆに係る空気清浄機の内部を右方から見た断面図である。変形例Ｆに係る空気清浄機では、加湿ユニットに加湿ロータヒシャク方式が採用されている。
【図２３】変形例Ｇに係る空気清浄機の、脱臭フィルタを収容したフィルタケースを左前方から見た斜視図である。
【図２４】変形例Ｇに係る空気清浄機の内部を前方から見た断面図である。
【発明を実施するための形態】
【００３７】
以下図面を参照しながら、本発明の実施形態について説明する。なお、以下の実施形態は、本発明の具体例であって、本発明の技術的範囲を限定するものではない。
【００３８】
＜第１実施形態＞
（１）空気清浄機１０の全体構成
図１は、本発明の第１実施形態に係る空気清浄機１０を斜め前方から視たときの当該空気清浄機１０の斜視図である。なお、図１は内部構造が見えるように鉛直４側面を外した態様で記載している。
【００３９】
また、図２は、空気清浄機１０の断面図である。図１及び図２において、空気清浄機１０は、四角柱状の本体ケーシング３１を備えている。空気清浄機１０は加湿機能と空気清浄機能とを有し、ユーザーは、空気清浄機能だけを選択することができるが、加湿機能を選択したときは空気清浄機能が伴う。
【００４０】
（２）詳細構成
（２−１）本体ケーシング３１
本体ケーシング３１は、送風室３１ａ、空気清浄室３１ｂ、加湿室３１ｃを有しており、それらは下方から上方に向かって送風室３１ａ、空気清浄室３１ｂ、加湿室３１ｃの順に並んでいる。つまり、本体ケーシング３１は縦に延びる形状となるので、設置面積が小さくなる。
【００４１】
送風室３１ａには、送風装置２８が配置されている。空気清浄室３１ｂには、空気清浄フィルタ２２が配置されている。加湿室３１ｃには、加湿エレメント２４、トレイ３４及びタンク４０が配置されている。つまり、メンテナンスを要する加湿エレメント２４が上に位置するので、メンテナンス作業が容易になる。なお、タンク４０は、図示しない側方扉から着脱可能となっている。
【００４２】
また、送風室３１ａと空気清浄室３１ｂとの間には第１開口３１１が設けられている。第１開口３１１は、送風室３１ａから空気清浄室３１ｂへ空気を通す。さらに、空気清浄室３１ｂと加湿室３１ｃとの間には第２開口３１２が設けられている。第２開口３１２は、空気清浄室３１ｂから加湿室３１ｃへ空気を通す。
【００４３】
図３は、空気清浄機１０における第１開口３１１及び第２開口３１２の水平投影図である。また、図４は、図３の空気清浄機１０よりも小型の空気清浄機の第１開口３１１及び第２開口３１２の水平投影図である。
【００４４】
図３及び図４において、外側に描かれている正方形は空気清浄室３１ｂの輪郭を示している。また、空気清浄室３１ｂの輪郭内で上面視左側に位置する長方形は第２開口３１２を示している。さらに、第２開口３１２の隣に位置する四角形は第１開口３１１を示している。
【００４５】
第２開口３１２の面積は、空気清浄室３１ｂの水平投影面積の４０％〜５０％の範囲に設定されている。第１開口３１１の面積は、空気清浄室３１ｂの水平投影面積の２０％〜３０％の範囲に設定されている。
【００４６】
図３及び図４において、第１開口３１１と第２開口３１２とは上面視において互いに離れる方向にずれており、上面視における第１開口３１１と第２開口３１２との重複面積が縮小するように又はゼロとなるように意識的に設定されている。
【００４７】
（２−２）送風装置２８
送風装置２８は、ファンロータ２５、ファンモータ２６、及びスクロール２７を含んでいる。ファンロータ２５は、風量が安定するシロッコファンであって、図２に示すように、ハブ部２５１と、ハブ部２５１の周縁に円筒状に配列される複数の羽根２５３とを有する。ハブ部２５１と羽根２５３とが回転することによって、空気が回転軸方向に沿って吸い込まれ、羽根２５３から遠心方向に吹き出される。
【００４８】
スクロール２７は、羽根２５３から吹き出された空気をファンロータ２５の上方に位置するファン吹出口２７ｂへ導くための風路を形成している。ファン吹出口２７ｂは送風室３１ａと空気清浄室３１ｂとの間の第１開口３１１に嵌合しているので、ファン吹出口２７ｂから吹き出た空気は空気清浄室３１ｂに入る。
【００４９】
（２−３）空気清浄フィルタ２２
図１に示すように、空気清浄フィルタ２２は、プレフィルタ２２４、フィルタ２２６、及び脱臭エレメント２２８で構成されている。空気清浄室３１ｂ内では、空気流れの上流側からプレフィルタ２２４、フィルタ２２６及び脱臭エレメント２２８の順でそれらが保持されている。
【００５０】
プレフィルタ２２４は、薄くて柔らかい樹脂製のネットであり、空気に含まれる粒子の大きな埃などを除去する。また、フィルタ２２６は、プレフィルタ２２４では除去できない微細な埃などを除去する。脱臭エレメント２２８は、空気に含まれる不快な臭いの成分を吸収する。
【００５１】
なお、本実施形態では、空気清浄フィルタ２２のメンテナンス作業をする際の空気清浄フィルタ２２の取り出しを容易にするため、空気清浄室３１ｂの４側面の１つにヒンジ式の開閉扉３１５が設けられている。
【００５２】
（２−４）加湿エレメント２４
加湿エレメント２４は、トレイ３４の上方に配置されている。加湿エレメント２４は、ループ状に成形されており、鉛直方向に離れた２つのローラーによって所定の張力が作用するように内側を支持されている。
【００５３】
説明の便宜上、２つのローラーのうちの下側のローラーを第１ローラー２４１とし、上側のローラーを第２ローラー２４２とする。第１ローラー２４１は、加湿エレメント２４の下部とともにトレイ３４の水中に浸漬している。
【００５４】
第２ローラー２４２の回転軸の延長線上には被駆動ギア２４５が固定されている。被駆動ギア２４５は、駆動ギア２４３と噛み合っている。駆動ギア２４３は、図示しない駆動モータの回転軸に固定されている。この位置関係によって、タンク４０側からトレイ３４を引き出す際に駆動ギア２４３と被駆動ギア２４５との噛みあいが解消される。また逆に、タンク４０側からトレイ３４を差し入れた際に駆動ギア２４３と被駆動ギア２４５との噛みあいが成立する。
【００５５】
駆動モータが回転することによって、その回転力が駆動ギア２４３、被駆動ギア２４５、第２ローラー２４２に順次伝達され、加湿エレメント２４が周回する。
【００５６】
（２−５）トレイ３４
トレイ３４は、タンク受け３４ａ、及び水受け３４ｂを有している。タンク受け３４ａには、支持部３４１と押し込みピン３４３とが設けられている。支持部３４１は、給水弁を下方にして装着されてきたタンク４０の所定のコーナーを支持する。押し込みピン３４３は、タンク４０が自重で降下したときに給水弁にあたって、給水弁を押し開ける。
【００５７】
水受け３４ｂには、加湿エレメント２４を浸漬させるための水が溜められる。水受け３４ｂはとタンク受け３４ａとは隔壁３４５で仕切られているが、その隔壁３４５には切り欠きが設けられおり、タンク４０からタンク受け３４ａに流れ出た水は、切り欠きを通って水受け３４ｂに流れ、水受け３４ｂの所定水位まで水を満たす。
【００５８】
（２−６）タンク４０
タンク４０の注水口４０１には給水弁４０３が取り付けられる。給水弁４０３の構造は、弁体をバネによって弁口に押し付ける一般的な構造であるので、ここでは詳細な説明を省略する。
【００５９】
通常の使用状態では、タンク４０は、トレイ３４のタンク受け３４ａ上に載っており、給水弁４０３が鉛直下方に向けられた状態でトレイ３４の押し込みピン３４３に押し当てられているので、タンク４０自身の重みによって押し込みピン３４３が給水弁４０３を開状態にする。
【００６０】
（２−７）その他
図２において、重量物であるファンモータ２６は、送風室３１ａの図２正面視左側に配置されている。また、同じく重量物であるタンク４０は加湿室３１ｃの図２正面視右側に配置されている。つまり、重いファンモータ２６とタンク４０とが上面視において同一側に偏っておらず、互いに反対方向（左右に若しくは前後）に離れているので、重量バランスがよい。
【００６１】
（３）空気清浄機１０の動作
（３−１）空気清浄動作
以上のように構成された空気清浄機１０について、以下その動作を説明する。空気清浄機１０の電源がオンされることによって、送風装置２８のファンモータ２６がファンロータ２５を回転させる。回転するファンロータ２５は空気を遠心方向に吹き出すので回転軸周りの圧力が低下し、空気はファンロータ２５の中心に位置するファン吸込口２７ａに吸い込まれる。その結果、吸込口１０ａからファン吸込口２７ａに向かう空気の流れが発生する。
【００６２】
ファンロータ２５から遠心方向に吹き出された空気は、スクロール２７に沿って偏向されながらファン吹出口２７ｂに向かう。ファン吹出口２７ｂは第１開口３１１に嵌合しているので、ファン吹出口２７ｂから吹き出た空気は、空気清浄室３１ｂに入る。
【００６３】
空気清浄フィルタ２２を通過する空気は、先ず、上流側のプレフィルタ２２４で空気に含まれる比較的粒子の大きな埃などが除去され、次に、下流側のフィルタ２２６で粒子の小さい埃が除去される。フィルタ２２６を通過した空気は、さらに下流側の脱臭エレメント２２８を通過する際に、その空気に含まれる不快な臭い成分が脱臭エレメント２２８に吸着される。空気清浄フィルタ２２を通過した空気は、第２開口３１２を通過して加湿室３１ｃに入る。
【００６４】
ここで、空気清浄室３１ｂでは、送風室３１ａから押し寄せる空気によって空気清浄フィルタ２２全面に静圧が作用し、空気は空気清浄フィルタ２２を通過する。この際、空気清浄フィルタ２２のうち第１開口３１１と対向する部分における空気の速度が速まる。
【００６５】
図５Ａは、図３に示すような第１開口３１１と第２開口３１２とが上面視でずれている場合の空気清浄フィルタ２２通過後の空気の速度分布図である。また、図５Ｂは、上面視において第２開口３１２が第１開口３１１側に完全に重なっている場合の空気清浄フィルタ２２通過後の空気の速度分布図である。
【００６６】
仮に、第１開口３１１と第２開口３１２とが上面視において完全に重なっている場合は、図５Ｂに示すように、その重なり部分における空気清浄フィルタ２２を通過する速度が速まり、速度分布としてはその重なり部分だけが突出し、重なり部分から遠い位置では空気が通過しない若しくは速度が極端に小さくなる傾向を示す。
【００６７】
しかしながら、この空気清浄機１０では、図３及び図４で示したように、第１開口３１１と第２開口３１２とが上面視においてずれることによって、重なり部分を縮小する又はゼロにするので、図５Ａに示すように、空気が空気清浄フィルタ２２を通過する際の速度分布は、より裾野の広い分布となり、空気が通過しない又は速度が極端に小さくなる部分が減少することになる。
【００６８】
（３−２）加湿動作
空気清浄機１０の電源がオンした状態で加湿機能がオンされると、加湿エレメント２４が周回する。加湿エレメント２４の下部はトレイ３４の水中に浸漬しているので、加湿エレメント２４が周回することによって、トレイ３４の水を吸い上げる。
【００６９】
空気清浄室３１ｂから加湿室３１ｃに入った空気は、加湿エレメント２４に吸い上げられた水の気化を促進させ、加湿空気となる。この加湿空気が吹出口１０ｂから吹き出される。
【００７０】
（４）特徴
（４−１）
この空気清浄機１０では、下方の送風室３１ａからファンロータ２５によって吸い込まれた空気が、上方の空気清浄室３１ｂの空気清浄フィルタ２２を通過した後、さらに上方の加湿室３１ｃの加湿エレメント２４を通過して吹き出される。音源である送風装置２８が最下方に位置するので、ファンモータ２６の出力が大きいときには、ファンモータ２６及びファンロータ２５から発せられる音が空気清浄フィルタ２２および加湿エレメント２４によって減衰させられるので、騒音が抑制される。
【００７１】
（４−２）
この空気清浄機１０では、空気清浄室３１ｂに入った空気によって空気清浄フィルタ２２全面に静圧が作用し、空気は空気清浄フィルタ２２を通過する。送風室３１ａと空気清浄室３１ｂとの間の第１開口３１１と、空気清浄室３１ｂと加湿室３１ｃとの間の第２開口３１２とが上面視においてずれているので、ずれていないものに比べて、空気が空気清浄フィルタ２２を通過する際の速度分布がより裾野の広い分布となり、空気が通過しない又は速度が極端に小さくなる部分が減少する。
【００７２】
（４−３）
重量のあるファンモータ２６とタンク４０とが上面視において同一側に偏っておらず、互いに反対方向（左右に若しくは前後）に離れているので、本体ケーシング３１の直立安定性がよい。
【００７３】
（４−４）
第１開口３１１はファン吹出口２７ｂからの吹き出し空気が通過するので、空気清浄フィルタ２２における第１開口３１１の対向部分は空気の通過速度が速くなり易く、一部分が突出した速度分布になる傾向にある。しかし、第１開口３１１に比べて第２開口３１２を大きく設定することによって、且つ、それらが上面視においてずれることによって、重なり部分はゼロになり又は縮小するので、空気が空気清浄フィルタ２２を通過する際の速度分布は、より裾野の広い分布となり、空気が通過しない又は速度が極端に小さくなる部分が減少する。
【００７４】
＜第２実施形態＞
本発明の第２実施形態に係る空気清浄機５１０について以下に説明する。
【００７５】
（１）空気清浄機の全体構成
図６は、本発明の第２実施形態に係る空気清浄機５１０の外観斜視図である。以下の説明では、方向や配置等を説明するために「前（正面）」、「後（背面）」、「右」、「左」、「上」、「下」等の表現を用いる場合があるが、特記しない場合には、図６に示した矢印に従い方向や配置等を表す。なお、図７〜図９、図１７〜図１９にも「前」、「後」、「右」、「左」、「上」、「下」を表す矢印を示しているが、図７〜図９、図１７〜図１９に矢印で示された方向と、図６に矢印で示した方向とは一致している。
【００７６】
図７は、図６に示す空気清浄機５１０のVII-VII矢視の断面図である。つまり、図７は、図６の空気清浄機５１０の内部を右方から見た図である。図８は、図６に示す空気清浄機５１０のVIII-VIII矢視の断面図である。つまり、図８は、図６の空気清浄機５１０の内部を前側から見た図である。
【００７７】
本実施形態に係る空気清浄機５１０は、空気清浄機能および加湿機能（湿度調整機能）を有する。空気清浄機５１０では、加湿機能を選択的に実行可能な構成（加湿機能をオン／オフ可能な構成）になっている。具体的には、ユーザーが加湿機能を選択した場合（加湿機能をオンにした場合）に、空気清浄機５１０の空気清浄機能と加湿機能とが共に有効に機能する。一方、ユーザーが加湿機能を選択しない場合（加湿機能をオフにした場合）には、空気清浄機５１０の空気清浄機能のみが有効に機能する。ただし、これに限定されるものではなく、空気清浄機５１０は、常に空気清浄機能および加湿機能を有効に機能させてもよい。ただし、加湿機能を選択的に実行可能な構成とした方が、ユーザーの快適性を確保することが容易である。
【００７８】
空気清浄機５１０は、主にケーシング５１１（図６参照）、送風装置５１２（図７参照）、空気清浄フィルタ５２０（図７参照）、フィルタケース５２３（図８参照）、フィルタ検知センサ５２５（図８参照）、および、加湿ユニット５３０（図８参照）を備える。ケーシング５１１には、送風装置５１２、空気清浄フィルタ５２０、フィルタケース５２３、フィルタ検知センサ５２５、および加湿ユニット５３０が収容される。送風装置５１２は、ケーシング５１１の外部から空気を取り込み、空気清浄フィルタ５２０および加湿ユニット５３０に空気を送る。空気清浄フィルタ５２０は、空気に含まれる塵埃を除去するとともに、空気に含まれる臭いの成分を除去する。フィルタケース５２３は、後述する空気清浄フィルタ５２０の脱臭フィルタ５２２を収容する。フィルタ検知センサ５２５は、空気清浄フィルタ５２０の脱臭フィルタ５２２がケーシング５１１に取り付けられているか否かを検知する。加湿ユニット５３０は、供給された水を気化させて空気を加湿する。
【００７９】
（２）詳細構成
以下に、空気清浄機５１０の主な構成である、ケーシング５１１、送風装置５１２、空気清浄フィルタ５２０、フィルタケース５２３、フィルタ検知センサ５２５、および加湿ユニット５３０について詳細を説明する。
【００８０】
（２−１）ケーシング
ケーシング５１１は、空気清浄機５１０の、送風装置５１２、空気清浄フィルタ５２０、フィルタケース５２３、フィルタ検知センサ５２５、および加湿ユニット５３０等の構成機器や構成部品を収容する。ケーシング５１１は、外観が縦長の四角柱状、言い換えれば上下方向に長く延びる四角柱状に形成される。ケーシング５１１の内部には、構成機器や構成部品を収容する空間が形成されている。ケーシング５１１の側面上方（前面上方）には、図６に示すように、制御パネル５１３が設けられている。制御パネル５１３には、空気清浄機５１０を操作するための各種スイッチ（例えば、電源スイッチや機能選択スイッチ）が設けられている。制御パネル５１３は、ケーシング５１１に内蔵されている制御装置（図示せず）に接続されている。制御パネル５１３が受け付けた各種指令は、制御装置に信号として伝送される。制御装置は、制御パネル５１３が受け付けた指令や、フィルタ検知センサ５２５を含む各種センサの検知結果に基づいて、空気清浄機５１０の動作を制御する。
【００８１】
ケーシング５１１は、その内部が主に３つの空間に分割され、送風室Ｓ１、空気清浄室Ｓ２、および加湿室Ｓ３が形成されている（図７および図８参照）。
【００８２】
送風室Ｓ１には、送風装置５１２が配置される（図７および図８参照）。空気清浄室Ｓ２には、空気清浄フィルタ５２０が配置される（図７および図８参照）。加湿室Ｓ３には、加湿ユニット５３０が配置される（図７および図８参照）。送風室Ｓ１、空気清浄室Ｓ２、および加湿室Ｓ３は、下方から上方に向かって順番に並ぶ（図７および図８参照）。言い換えれば、空気清浄機５１０のケーシング５１１内には、下方から順に、送風装置５１２、空気清浄フィルタ５２０、および後述する加湿ユニット５３０の加湿エレメント５３３（図７参照）が配置されている。ここでは、作業のしやすい上方に、メンテナンスを要する加湿ユニット５３０が配置され、ケーシング５１１の左面上部に設けられた後述する開口５１５を介して加湿ユニット５３０にアクセス可能であるため、メンテナンス作業が容易である。
【００８３】
送風室Ｓ１と空気清浄室Ｓ２との間には第１開口Ｋ１が設けられている（図８参照）。第１開口Ｋ１は、送風室Ｓ１から空気清浄室Ｓ２へ空気を通す。また、空気清浄室Ｓ２と加湿室Ｓ３との間には第２開口Ｋ２が設けられている（図８参照）。第２開口Ｋ２は、空気清浄室Ｓ２から加湿室Ｓ３へ空気を通す。
【００８４】
第１開口Ｋ１および第２開口Ｋ２の面積や配置は、第１実施形態の空気清浄機１０における第１開口３１１および第２開口３１２の面積や配置と同様である。
【００８５】
つまり、第１開口Ｋ１を水平面に投影した時の、第１開口Ｋ１の投影面積は、空気清浄室Ｓ２の水平投影面積の２０％〜３０％の範囲に設定されている。また、第２開口Ｋ２を水平面に投影した時の、第２開口Ｋ２の投影面積は、空気清浄室Ｓ２の水平投影面積の４０％〜５０％の範囲に設定されている。
【００８６】
また、第１開口Ｋ１と第２開口Ｋ２とは、上面視において互いに離れる方向にずれている（図３および図４の第１開口３１１および第２開口３１２の配置と同様であるので、図面は省略する）。具体的には、第１開口Ｋ１は主に左方側に配置されているのに対し、第２開口Ｋ２は右方側に配置されている。言い換えれば、第１開口Ｋ１は、後述する空気清浄フィルタ５２０の中心に対して左方にずれている。一方、第２開口Ｋ２は、後述する空気清浄フィルタ５２０の中心に対して右方に（第１開口Ｋ１とは反対側に）ずれている。上面視において第１開口Ｋ１および第２開口Ｋ２の配置は、上面視において第１開口Ｋ１と第２開口Ｋ２との重複面積が小さくなるように、又は、重複面積がゼロとなるように設計されている。
【００８７】
ケーシング５１１には、図６に示すように、吸込口５１１ａおよび吹出口５１１ｂが設けられている。吸込口５１１ａおよび吹出口５１１ｂは矩形状に形成された開口である。
【００８８】
吸込口５１１ａは、ケーシング５１１外の空気をケーシング５１１内部に吸い込むための開口である。吸込口５１１ａは、ケーシング５１１の左面下部および右面下部にそれぞれ設けられている（図８参照）。吸込口５１１ａには、使用者の指および異物の侵入を防止するための内格子５１１ａａおよび吸込グリル５１１ａｂが設けられている（図８参照）。内格子５１１ａａは、ケーシング５１１の外面側に設けられた吸込グリル５１１ａｂの内側に配置されている（図８参照）。また、吸込グリル５１１ａｂの内側には、ケーシング５１１内に取り込まれる空気から大きな塵埃を除去するためのプレフィルタ５１１ａｃが設けられている（図８参照）。
【００８９】
吹出口５１１ｂは、ケーシング５１１の内部を通過した空気を吹き出すための開口である。すなわち、吹出口５１１ｂは、ケーシング５１１の空気の出口である。吹出口５１１ｂからは、空気清浄フィルタ５２０による空気清浄後の空気、又は、空気清浄フィルタ５２０による空気清浄後、加湿ユニット５３０により加湿された空気が吹き出される。吹出口５１１ｂは、図６に示すように、ケーシング５１１の上面（天井部分）に設けられている。吹出口５１１ｂには、使用者の指および異物の侵入を防止するための金網５１１ｂａおよび吹出グリル５１１ｂｂが設けられている（図８参照）。金網５１１ｂａは、ケーシング５１１の外面側に設けられた吹出グリル５１１ｂｂの内側（下方）に配置されている（図８参照）。
【００９０】
ケーシング５１１の上部左面には、開口５１５が形成される（図８および図２０（ｄ）参照）。開口５１５は、第１側板５１１ｃおよび第２側板５１１ｄの取り付け／取り外しをすることで、開閉可能に構成されている（図６参照）。第１側板５１１ｃは、後述する加湿ユニット５３０の加湿タンク５３１と一体に形成されている（図８参照）。第２側板５１１ｄは、後述する加湿ユニット５３０の加湿トレイ５３２の一部（左方側の側壁）を構成する（図８参照）。第１側板５１１ｃには、第１側板５１１ｃの着脱時（加湿タンク５３１の着脱時）に用いられる取っ手５１１ｃａが形成されている（図６参照）。第２側板５１１ｄには、第２側板５１１ｄの着脱時（加湿トレイ５３２の着脱時）に用いられる取っ手５１１ｄａが形成されている（図６参照）。
【００９１】
開口５１５は、ケーシング５１１に収容された構成を着脱するための開口である。具体的には、開口５１５は、ケーシング５１１内の加湿ユニット５３０および空気清浄フィルタ５２０の着脱（取り付け／取り外し）のために用いられる開口である。ここでは、加湿ユニット５３０のメンテナンス専用の作業用開口と、空気清浄フィルタ５２０のメンテナンス専用の作業用開口とを別々に設けるのではなく、１つの開口５１５から、加湿ユニット５３０および空気清浄フィルタ５２０の両方にアクセス可能に構成されている。そのため、ケーシング５１１の密閉性を向上させ、メンテナンス用の開口に生じる隙間から空気が流出することを防止することが容易である。開口５１５からの加湿ユニット５３０および空気清浄フィルタ５２０の取り付け／取り外しについては後述する。
【００９２】
ケーシング５１１の内部には、後述する空気清浄フィルタ５２０の集塵フィルタ５２１を戴置するためのフランジ部５１１ｅが設けられる（図７および図８参照）。フランジ部５１１ｅは、空気清浄室Ｓ２において、ケーシング５１１の内壁に設けられる。フランジ部５１１ｅは、集塵フィルタ５２１を下方から支持する水平な支持面である。フランジ部５１１ｅは、空気清浄フィルタ５２０の集塵フィルタ５２１よりも下方、言い換えれば空気の流れ方向の上流側に配置される（図７および図８参照）。
【００９３】
フランジ部５１１ｅは、ケーシング５１１の内壁の全周にわたって設けられる。フランジ部５１１ｅは、空気清浄フィルタ５２０の集塵フィルタ５２１の周縁部５２１ｂ（図１１参照）の下面５２１ｂａ（図７参照）と密着し、集塵フィルタ５２１とケーシング５１１との隙間をシールするためのシール手段として機能する。なお、フランジ部５１１ｅと空気清浄フィルタ５２０との間には、集塵フィルタ５２１とケーシング５１１との隙間のシール性をより高めるため、例えば樹脂製のシール部材（図示せず）が配置されてもよい。
【００９４】
ケーシング５１１の内部には、後述する空気清浄フィルタ５２０の脱臭フィルタ５２２が収容されたフィルタケース５２３を戴置するための支持部５１１ｆが設けられる（図８参照）。支持部５１１ｆは、空気清浄室Ｓ２において、ケーシング５１１の左方側の内壁に設けられる（図８参照）。支持部５１１ｆは、フランジ部５１１ｅより上方に設けられる（図８参照）。支持部５１１ｆは、脱臭フィルタ５２２が収容されたフィルタケース５２３を下方から支持する水平な支持面である（図８参照）。
【００９５】
また、ケーシング５１１の内壁には、後述するフィルタケース５２３に設けられた凸部５２３ａと係合する凹部５１１ｇが設けられる（図８参照）。凹部５１１ｇは、ケーシング５１１の右方側の内壁に２箇所設けられる。各凹部５１１ｇは、フィルタケース５２３に設けられた２箇所の凸部５２３ａ（図１４参照）の一方が、それぞれ嵌合するように形成されている。凹部５１１ｇは、フランジ部５１１ｅより上方に設けられている（図８参照）。また、凹部５１１ｇは、フィルタケース５２３の右方側に設けられた凸部５２３ａを凹部５１１ｇに係合させ、フィルタケース５２３の左方側を支持部５１１ｆに戴置した状態で、フィルタケース５２３がほぼ水平になる位置に設けられている。なお、フィルタケース５２３がケーシング５１１に取り付けられた状態（凸部５２３ａが凹部５１１ｇに係合し、フィルタケース５２３の左方側が支持部５１１ｆに戴置された状態）では、フィルタケース５２３の下面は、後述する集塵フィルタ５２１の周縁部５２１ｂ（図１１参照）の上面５２１ｂｂ（図７参照）に接触する。フィルタケース５２３のケーシング５１１への取り付けについては後述する。
【００９６】
ケーシング５１１の内部には、整流板５１１ｈが設けられている（図８参照）。図８に示すように、整流板５１１ｈは、加湿室Ｓ３に設けられる。整流板５１１ｈは、第２開口Ｋ２の上方に設けられる。整流板５１１ｈは、加湿室Ｓ３において、後述する加湿エレメント５３３の右方に、加湿エレメント５３３と隣接して配置される。整流板５１１ｈは、右方側から左方側に向かって次第に高くなるように形成された平面を有する。整流板５１１ｈは、第２開口Ｋ２から加湿室Ｓ３に流れ込んだ空気の流れを、加湿エレメント５３３に誘導する。
【００９７】
一方で、整流板５１１ｈには、バイパス開口５１１ｈａが形成されている（図１８参照）。バイパス開口５１１ｈａは、第２開口Ｋ２の上方に配置されている（図１８参照）。バイパス開口５１１ｈａは、図１８に一点鎖線の矢印で示すように、空気清浄フィルタ５２０を通過した空気の一部を、加湿室Ｓ３から加湿エレメント５３３を通過させずにケーシング５１１外に導く。このようにバイパス開口５１１ｈａを設けることで、全ての空気を圧力損失の比較的大きな加湿エレメント５３３へと導く場合に比べ、空気清浄フィルタ５２０を通過する空気の流量を増加させることができる。なお、整流板５１１ｈの加湿室Ｓ３とは反対側の面には、イオン発生器５４０が設けられている（図８参照）。制御パネル５１３を通じてイオン発生器５４０の運転が指示されると、イオン発生器５４０はプラズマイオンを発生させる。プラズマイオンは、バイパス開口５１１ｈａを通過してケーシング５１１外に吹き出す空気により、ケーシング５１１外へと導かれる。
【００９８】
（２−２）送風装置
送風装置５１２は、送風室Ｓ１に配置されている（図８参照）。送風装置５１２は、ケーシング５１１の外側の空気を送風室Ｓ１に取り入れ、空気清浄室Ｓ２および加湿室Ｓ３に送風する装置である。すなわち、送風装置５１２は、空気清浄フィルタ５２０および加湿ユニット５３０（加湿エレメント５３３）に送風する装置である。
【００９９】
送風装置５１２は、ファン５１２ａ、ファンモータ５１２ｂ、およびスクロールケーシング５１２ｃを主に有する（図８参照）。ファン５１２ａは、送風室Ｓ１の左方側に配置され、ファンモータ５１２ｂは、送風室Ｓ１の右方側に配置される（図８参照）。スクロールケーシング５１２ｃは、ファン５１２ａが吹き出した空気を、ファン５１２ａの上方に位置する第１開口Ｋ１へ導くための風路を形成している。
【０１００】
ファン５１２ａは、風量が安定するシロッコファンである。ファン５１２ａは、ハブ部５１２ａａと、複数の羽根５１２ａｂとを有する（図１０参照）。複数の羽根５１２ａｂは、ハブ部５１２ａａの周縁に円筒状に配列される。ファン５１２ａがファンモータ５１２ｂによって駆動され、ハブ部５１２ａａおよび複数の羽根５１２ａｂが回転することによって、回転軸方向に沿ってファン５１２ａに空気が吸い込まれる。この時、ケーシング５１１外から送風室Ｓ１内に、吸込口５１１ａを介して空気が取り込まれる。ファン５１２ａにおいては、複数の羽根５１２ａｂから遠心方向に空気が吹き出される。複数の羽根５１２ａｂから遠心方向に吹き出された空気は、スクロールケーシング５１２ｃ内を第１開口Ｋ１へと導かれ、空気清浄室Ｓ２へと送られる。
【０１０１】
なお、空気は、上記のように複数の羽根５１２ａｂから遠心方向に吹き出されるため、図１０の一点鎖線の矢印が示すように、空気清浄フィルタ５２０の集塵フィルタ５２１には、上向きではなく、斜め上方向きに空気が流入する。
【０１０２】
（２−３）空気清浄フィルタ
空気清浄フィルタ５２０は、空気清浄機５１０に吸い込まれた空気を清浄化する。具体的に、空気清浄フィルタ５２０は、空気に含まれる塵埃を除去する。また、空気清浄フィルタ５２０は、臭いの原因となる成分を除去する。
【０１０３】
空気清浄フィルタ５２０は、空気清浄室Ｓ２に配置される（図８参照）。空気清浄フィルタ５２０は、送風装置５１２の上方に配置され、加湿ユニット５３０の下方に配置される（図８参照）。また、空気清浄フィルタ５２０は、空気の流れ方向において、送風装置５１２の下流側に配置され、加湿ユニット５３０の上流側に配置される。
【０１０４】
空気清浄フィルタ５２０は、主に集塵フィルタ５２１および脱臭フィルタ５２２を含む（図７参照）。集塵フィルタ５２１は、空気に含まれる塵埃を除去する。脱臭フィルタ５２２は、空気に含まれる、臭いの原因となる成分を除去する。
【０１０５】
脱臭フィルタ５２２は、集塵フィルタ５２１の上方に配置される。言い換えれば、脱臭フィルタ５２２は、集塵フィルタ５２１に対し、空気の流れ方向の下流側に配置される。
【０１０６】
集塵フィルタ５２１および脱臭フィルタ５２２の厚み方向は、上下方向である。つまり、空気清浄フィルタ５２０は、上下方向を厚み方向とする。空気清浄フィルタ５２０には、主に厚み方向に空気が通過する。言い換えれば、空気清浄フィルタ５２０は、空気の通過方向に直交する方向に空気清浄フィルタ５２０（集塵フィルタ５２１および脱臭フィルタ５２２）が広がるように配置される。
【０１０７】
（２−３−１）集塵フィルタ
集塵フィルタ５２１は、吸込口５１１ａに設けられたプレフィルタ５１１ａｃによって除去されなかった細かな塵埃を除去するためのフィルタである。集塵フィルタ５２１は、矩形状に形成されている。集塵フィルタ５２１のフィルタ部分（空気の通過する部分）の水平投影面積は、空気清浄室Ｓ２の水平投影面積の８０％以上になるように設計されている。
【０１０８】
集塵フィルタ５２１には、複数の折り目５２１ａで折り返され、複数の“ひだ”が形成されたプリーツフィルタが用いられる（図１１参照）。集塵フィルタ５２１を折り目５２１ａと直交する断面で切断すると、その断面は、図１２（ａ）のように連続する複数の山と谷とを有する形状に形成されている。プリーツフィルタを用いることで、“ひだ”が形成されない平板上のフィルタを用いる場合に比べ、同じ設置面積で集塵フィルタ５２１の表面積（通風面積）を大きく確保することができる。
【０１０９】
なお、集塵フィルタ５２１は、プリーツフィルタの折り目５２１ａが延びる方向と、送風装置５１２のスクロールケーシング５１２ｃの舌部５１２ｃａの延びる方向、言い換えれば送風装置５１２のファン５１２ａの回転軸方向、とが、直交するように、フランジ部５１１ｅ上に戴置されている。そのため、集塵フィルタ５２１の折り目５２１ａが延びる方向と、送風装置５１２のスクロールケーシング５１２ｃから吹き出す空気の水平方向成分と、の向きが概ね平行になる。図を用いて説明すれば、図１０のように、スクロールケーシング５１２ｃからベクトルＡの向き（斜め上方）に空気が吹き出す際に、集塵フィルタ５２１の折り目５２１ａが延びる方向と、ベクトルＡの水平方向成分Ａｈの方向とが概ね平行になる。なお、集塵フィルタ５２１の厚み方向は、ベクトルＡの鉛直方向成分Ａｖの方向と一致する。
【０１１０】
このような向きに集塵フィルタ５２１を設置する理由は以下のとおりである。
【０１１１】
仮に、集塵フィルタ５２１が、プリーツフィルタの折り目５２１ａが延びる方向と、送風装置５１２のスクロールケーシング５１２ｃの舌部５１２ｃａの延びる方向とが平行となるように、フランジ部５１１ｅ上に戴置されたとする。この場合、折り目５２１ａが延びる方向と、スクロールケーシング５１２ｃから吹き出す空気の水平方向成分と、の向きは概ね直交する。そのため、図１２（ｂ）に一点鎖線の矢印で示すように、斜め上方に吹き出す空気は、集塵フィルタ５２１を偏って通過しやすくなる。例えば、図１２（ｂ）を用いて説明すれば、図１２（ｂ）中の左から右に向かって高くなる斜面だけを空気が通過しやすくなる。それゆえ、集塵フィルタ５２１の全面を集塵に用いることができない。
【０１１２】
これに対し、本実施形態の空気清浄機５１０では、折り目５２１ａが延びる方向と、スクロールケーシング５１２ｃから吹き出す空気の水平方向成分と、の向きは概ね平行であるため、図１２（ａ）に一点鎖線の矢印で示すように、集塵フィルタ５２１の全面に偏りなく空気を流すことが容易で、構造圧損を抑制することができる。
【０１１３】
なお、ファン５１２ａから集塵フィルタ５２１までの距離を十分に確保した場合には、上記のような問題は緩和され、ファン５１２ａとして、シロッコファンのように遠心方向に風が吹き出すタイプのファンが用いられたとしても、集塵フィルタ５２１には上向きに空気が流入しやすくなる。そのため、集塵フィルタ５２１の向きによらず、集塵フィルタ５２１の全面に偏りなく空気を流すことが容易になる。ただし、空気清浄機５１０を小型化するためには、ファン５１２ａと集塵フィルタ５２１との距離は短いことが好ましく、ファン５１２ａと集塵フィルタ５２１との距離を短くする場合には、上記のような向きに集塵フィルタ５２１を配置することが好ましい。
【０１１４】
空気清浄フィルタ５２０の集塵フィルタ５２１は、上述したように、ケーシング５１１の内部に形成されたフランジ部５１１ｅに載置されている。言い換えると、空気清浄フィルタ５２０の集塵フィルタ５２１は、ケーシング５１１にフランジ部５１１ｅで保持される。フランジ部５１１ｅは、集塵フィルタ５２１の空気が通過しない周縁部５２１ｂ（図１１参照）の下面５２１ｂａと接触することで（図７参照）、空気清浄フィルタ５２０とケーシング５１１の内壁との間の隙間をシールするシール手段として機能する。シール手段は、送風室Ｓ１から空気清浄室Ｓ２に空気が送られる際に、空気清浄フィルタ５２０とケーシング５１１とのシール性を確保する。フランジ部５１１ｅは、空気の流れ方向において、空気清浄フィルタ５２０の上流側に配置される。言い換えると、シール手段は、空気清浄フィルタ５２０の取り外し方向において、空気清浄フィルタ５２０の上流側に配置される。ケーシング５１１への集塵フィルタ５２１の取り付け／取り外しについては後述する。
【０１１５】
（２−３−２）脱臭フィルタ
脱臭フィルタ５２２は、空気に含まれる、臭いの原因となる成分を除去するフィルタである。脱臭フィルタ５２２は、矩形状に形成されたフィルタである。脱臭フィルタ５２２のフィルタ部分（空気の通過する部分）の水平投影面積は、空気清浄室Ｓ２の水平投影面積の８０％以上になるように設計されている。
【０１１６】
脱臭フィルタ５２２は、図１３および図１４に示すように、後述するフィルタケース５２３内に収容されている。脱臭フィルタ５２２は、フィルタケース５２３に着脱可能に構成されている。フィルタケース５２３のケーシング５１１への取り付け状態や、ケーシング５１１への脱臭フィルタ５２２（フィルタケース５２３）の取り付け／取り外しについては後述する。また、脱臭フィルタ５２２の有無を確認するためのフィルタ検知センサ５２５についても後述する。
【０１１７】
（２−４）フィルタケース
フィルタケース５２３は、空気清浄フィルタ５２０を収容する。具体的には、フィルタケース５２３は、空気清浄フィルタ５２０の一部である、脱臭フィルタ５２２を収容する（図１３参照）。
【０１１８】
フィルタケース５２３は、矩形状のリング状部材であり、内部に脱臭フィルタ５２２を収容する。フィルタケース５２３は、収容された脱臭フィルタ５２２の周縁部を上下および側方（外周側）から囲い保持する、略Ｃ字形状断面の側壁部５２３ｂを有する（図７および図８参照）。つまり、側壁部５２３ｂは、内周側が開口している。脱臭フィルタ５２２は、側壁部５２３ｂにより全周が囲まれる。フィルタケース５２３の上下の面は大きく開口しており、集塵フィルタ５２１を通過した空気は、フィルタケース５２３に収容された脱臭フィルタ５２２を下方から通過し、脱臭フィルタ５２２の上方へと吹き出す。
【０１１９】
フィルタケース５２３の側壁部５２３ｂの右面には、ケーシング５１１の内壁に設けられた凹部５１１ｇと係合する凸部５２３ａが設けられる。凸部５２３ａは、側壁部５２３ｂの右面の２箇所に設けられる。なお、凸部５２３ａの個数は例示であり、これに限定されるものではなく適宜決定されればよい。ケーシング５１１の内壁に設けられる凹部５１１ｇの数も、凸部５２３ａの個数に合わせて適宜決定されればよい。各凸部５２３ａは、ケーシング５１１に設けられた２箇所の凹部５１１ｇ（図１１参照）の一方に、それぞれ嵌合するように形成されている。
【０１２０】
フィルタケース５２３がケーシング５１１に取り付けられた状態では、凸部５２３ａは凹部５１１ｇと係合し、フィルタケース５２３の左面側は、ケーシング５１１の内部に設けられた支持部５１１ｆに載置される。言い換えると、フィルタケース５２３がケーシング５１１に取り付けられた状態では、フィルタケース５２３は、凸部５２３ａが嵌合する凹部５１１ｇと、支持部５１１ｆとにより下方から支持される。フィルタケース５２３がケーシング５１１に取り付けられた状態では、脱臭フィルタ５２２は、水平な状態で、言い換えれば脱臭フィルタ５２２の厚さ方向と上下方向が一致する状態で、ケーシング５１１に取り付けられる。ケーシング５１１へのフィルタケース５２３の取り付け／取り外しについては後述する。
【０１２１】
フィルタケース５２３の側壁部５２３ｂの左方側中央部には、切り欠き部５２３ｂａが形成されている（図１３参照）。切り欠き部５２３ｂａでは、上部側（上面および側面の上部側）を残して、側壁部５２３ｂが切り欠かれている（図１３参照）。フィルタケース５２３に脱臭フィルタ５２２が収容された状態では、切り欠き部５２３ｂａにおいて、脱臭フィルタ５２２が露出した状態になる。
【０１２２】
なお、フィルタケース５２３は、空気清浄フィルタの上方に配置される気流ガイド５２４を含む。気流ガイド５２４は、フィルタケース５２３と一体に形成されている。
【０１２３】
気流ガイド５２４は、フィルタケース５２３の左方側上方に設けられる（図８参照）。気流ガイド５２４は、ケーシング５１１に形成された第１開口Ｋ１の上方に設けられる。気流ガイド５２４は、前後の側壁部５２３ｂの左方部から上方に延びる鉛直面５２４ａと、左側の側壁部５２３ｂから上斜め右方に延びる第１ガイド面５２４ｂと、を有する（図１４参照）。第１ガイド面５２４ｂは、空気清浄フィルタ５２０の脱臭フィルタ５２２を通過した空気を後述する加湿ユニット５３０の加湿エレメント５３３に導くための湾曲面である。第１ガイド面５２４ｂを滑らかな曲面で形成することで、圧損の上昇を抑制しつつ、脱臭フィルタ５２２を通過した空気を、第２開口Ｋ２へと、更に加湿エレメント５３３へと導くことができる。気流ガイド５２４の鉛直面５２４ａは、脱臭フィルタ５２２を通過した空気が、気流ガイド５２４の第１ガイド面５２４ｂの前後の隙間を通過して上方に向かい、ケーシング５１１と後述する加湿トレイ５３２との隙間を通過して、ケーシング５１１外へと流出することを防止する。鉛直面５２４ａおよび第１ガイド面５２４ｂは、主に脱臭フィルタ５２２の左方側を通過した空気を、加湿エレメント５３３へと導く。
【０１２４】
気流ガイド５２４の上部には、下方に凹むように形成された凹部５２４ｄが設けられている（図１４参照）。凹部５２４ｄは、下方だけではなく、気流ガイド５２４の左方側の上面５２４ｃの下方にも凹むように形成されている（図１４参照）。凹部５２４ｄは、フィルタケース５２３の取り付け／取り外し時にユーザーが把持する取っ手として機能する。
【０１２５】
ケーシング５１１に空気清浄フィルタ５２０および加湿ユニット５３０を取り付けた状態では、気流ガイド５２４の上面５２４ｃ（図１３および図１４参照）は、後述する加湿ユニット５３０の加湿トレイ５３２の下面５３２ｂと接触する（図８参照）。このため、送風装置５１２から空気が送風され、空気清浄フィルタ５２０を浮き上がらせる（上方に動かす）力が作用しても、加湿トレイ５３２が空気清浄フィルタ５２０の上方への移動を規制する。つまり、加湿トレイ５３２の下面５３２ｂは、空気清浄フィルタ５２０の上方への移動を規制する移動規制部として機能する。
【０１２６】
（２−５）フィルタ検知センサ
フィルタ検知センサ５２５（図８参照）は、空気清浄フィルタ５２０がケーシング５１１に取り付けられているか否かを検知するセンサである。具体的には、フィルタ検知センサ５２５は、空気清浄フィルタ５２０の脱臭フィルタ５２２がケーシング５１１に取り付けられているか否かを検知するセンサである。
【０１２７】
フィルタ検知センサ５２５は、主に、検知レバー５２５ａと検知スイッチ５２５ｂとを有する（図１５（ａ），（ｂ）参照）。検知レバー５２５ａは、回転軸５２５ｃ（図１５（ａ），（ｂ）参照）回りに回転可能に構成されている。検知レバー５２５ａの一方側の端部には、検知レバー５２５ａの延びる方向と交差する方向に延び、脱臭フィルタ５２２と接触する接触アーム５２５ｄを有する。検知レバー５２５ａの他方側の端部（接触アーム５２５ｄが設けられた側の端部とは、回転軸５２５ｃを挟んで反対側に配置される端部）には、検知スイッチ５２５ｂと接触する検知スイッチ接触部５２５ａａが設けられている。なお、ここでは、接触アーム５２５ｄは、検知レバー５２５ａから円弧状に延びるが、これに限定されるものではなく、接触アーム５２５ｄは、検知レバー５２５ａの延びる方向と垂直に延びるように形成されてもよい。
【０１２８】
検知レバー５２５ａは、図示しないネジリばねにより回転軸５２５ｃ回りに一方向に（検知スイッチ接触部５２５ａａが検知スイッチ５２５ｂから離れるように）力が作用するように構成されている。接触アーム５２５ｄが脱臭フィルタ５２２に接触していない状態（フィルタケース５２３に脱臭フィルタ５２２が収容されていない状態）では、図１５（ａ）のように、フィルタケース５２３の切り欠き部５２３ｂａを通過して、接触アーム５２５ｄがフィルタケース５２３内に突出した状態となる。この状態では、検知レバー５２５ａの検知スイッチ接触部５２５ａａは、検知スイッチ５２５ｂとは非接触の状態にある。そのため、フィルタケース５２３に脱臭フィルタ５２２が収容されていない状態では、フィルタ検知センサ５２５から、空気清浄機５１０の制御装置（図示せず）に、脱臭フィルタ５２２の存在時に送信される信号が送信されない。このような状態では、制御装置は、空気清浄機５１０に脱臭フィルタ５２２が取り付けられていないと判断し、空気清浄機５１０の運転停止、脱臭フィルタ５２２が取り付けられていない旨の警告の発報等、必要な制御を実行する。なお、ここでは図示および説明は省略するが、脱臭フィルタ５２２だけではなく、フィルタケース５２３がケーシング５１１に取り付けられていない場合にも、検知スイッチ接触部５２５ａａは、検知スイッチ５２５ｂとは非接触の状態になり、制御装置に、脱臭フィルタ５２２の存在時に送信される信号が送信されない。
【０１２９】
一方、フィルタケース５２３に脱臭フィルタ５２２が収容されている状態では、フィルタケース５２３の側壁部５２３ｂの切り欠き部５２３ｂａにおいて、接触アーム５２５ｄが脱臭フィルタ５２２に接触する。そして、検知レバー５２５ａは、図示しないネジリばねの力に打ち勝ち、検知レバー５２５ａの検知スイッチ接触部５２５ａａが検知スイッチ５２５ｂに接触する方向に回転する。検知スイッチ接触部５２５ａａが検知スイッチ５２５ｂと接触すると、検知スイッチ５２５ｂがオンになり、フィルタ検知センサ５２５から、空気清浄機５１０の制御装置に、脱臭フィルタ５２２の存在時に送信される信号が送信される。制御装置は、空気清浄機５１０に脱臭フィルタ５２２が取り付けられていると判断すると、他の異常がなければ、空気清浄機５１０の運転を許可する。
【０１３０】
なお、本空気清浄機５１０は、フィルタの有無を検知するためのセンサとして、脱臭フィルタ５２２の有無を検知するフィルタ検知センサ５２５しか設けられていないが、これに限定されるものではない。例えば、フィルタ検知センサ５２５と同様の原理、又は、他の検出原理を用いたセンサが、集塵フィルタ５２１の有無を検知するために設けられてもよい。ただし、後述するように、本空気清浄機５１０では、集塵フィルタ５２１が存在しない場合には、脱臭フィルタ５２２を収容したフィルタケース５２３を取り付けることが困難となることから、脱臭フィルタ５２２の有無を検知するだけで、集塵フィルタ５２１が取り付けられていない状態も検知することが可能である。
【０１３１】
（２−６）加湿ユニット
加湿ユニット５３０は、供給された水を気化させて空気を加湿する。具体的には、特に加湿ユニット５３０の加湿エレメント５３３が、供給された水を気化させて空気を加湿する。加湿ユニット５３０は、空気の流れ方向において、送風装置５１２および空気清浄フィルタ５２０の下流側に配置される。すなわち、加湿ユニット５３０は、空気清浄フィルタ５２０によって清浄化された空気を加湿する。加湿ユニット５３０は、回転式の加湿ユニットである。加湿ユニット５３０では、加湿エレメント５３３の周縁部が後述する加湿トレイ５３２内に貯留された水の中を通過するように回転させられ、水を含んだ加湿エレメント５３３から水を気化させることで空気を加湿する。
【０１３２】
加湿ユニット５３０は、ケーシング５１１内の加湿室Ｓ３に配置される（図８参照）。つまり、加湿ユニット５３０は、ケーシング５１１内の上部位置に配置される（図８参照）。加湿ユニット５３０の後述する加湿タンク５３１、加湿トレイ５３２、および加湿エレメント５３３は、ケーシング５１１から着脱可能に構成されている。加湿タンク５３１、加湿トレイ５３２、および加湿エレメント５３３がケーシング５１１の開口５１５（図８参照）から取り外されると、ケーシング５１１内の上方位置に大きな空間ができる。具体的に、加湿ユニット５３０がケーシング５１１から取り外されると、加湿室Ｓ３において、空気清浄フィルタ５２０が移動可能な空間が形成される。言い換えると、加湿ユニット５３０がケーシング５１１から取り外されると、空気清浄室Ｓ２の上方に、空気清浄フィルタ５２０を取り外す際の、空気清浄フィルタ５２０の移動経路となる空間が形成される。なお、空気清浄フィルタ５２０の取り付け／取り外しについては後述する。
【０１３３】
加湿ユニット５３０は、図８および図９に示すように、主として、加湿タンク５３１、加湿トレイ５３２、および加湿エレメント５３３、を有する。また、加湿ユニット５３０は、加湿エレメント５３３を回転駆動するための加湿用モータ５３４を有する（図８参照）。加湿用モータ５３４は、ケーシング５１１内に設置されている。一方、加湿タンク５３１、加湿トレイ５３２、および加湿エレメント５３３は、ケーシング５１１から取り外し可能に構成されている。
【０１３４】
（２−６−１）加湿タンク
加湿タンク５３１は、加湿エレメント５３３に供給するための水を貯留する。加湿タンク５３１は、ケーシング５１１の第１側板５１１ｃと一体に形成されている。そのため、ケーシング５１１から第１側板５１１ｃを取り外すことで、加湿タンク５３１が加湿ユニット５３０（加湿トレイ５３２）から着脱されるように構成されている（図１９（ｂ）参照）。
【０１３５】
加湿タンク５３１は、加湿トレイ５３２の左方側に配置される。加湿トレイ５３２はケーシング５１１の左方側に配置されることから、加湿タンク５３１は、ケーシング５１１の左方側に配置される。
【０１３６】
本空気清浄機５１０では、前述のように重量物である送風装置５１２のファンモータ５１２ｂは、ケーシング５１１の右方側に配置される（図８参照）。一方で、重量物である加湿タンク５３１は、ケーシング５１１の左方側に配置されている（図８参照）。つまり、ファンモータ５１２ｂは、空気清浄フィルタ５２０の中心に対して一側方（右方）にずれており、加湿タンク５３１は、空気清浄フィルタ５２０の中心に対して前述の一側方とは反対側（左方）にずれている。このように、大きな重量のファンモータ５１２ｂと加湿タンク５３１とが上面視において同一側に偏っておらず、互いに反対方向に離れているため、本空気清浄機５１０は重量バランスがよい。
【０１３７】
加湿タンク５３１は、注水口５３１ａを有する。注水口５３１ａには、図示しない給水弁が取り付けられる。給水弁は、弁体をバネによって弁口に押し付ける一般的な構造であるので、ここでは給水弁の詳細な説明を省略する。
【０１３８】
加湿タンク５３１は、使用時には、加湿トレイ５３２の左方側の、後述するタンク受け部５３２ｃに配置される。具体的に、加湿タンク５３１は、注水口５３１ａを下方にした状態で、加湿トレイ５３２のタンク受け部５３２ｃに装着される。加湿タンク５３１がタンク受け部５３２ｃに装着されると、下方を向いた注水口５３１ａの給水弁に、加湿トレイ５３２に設けられた押し込みピン（図示せず）が押し当てられる。そして、加湿タンク５３１の重みにより、給水弁が押し込みピンにより押されて弁口が押し開けられ、注水口５３１ａが開いた状態になる。その結果、後述する加湿トレイ５３２に水が供給され、加湿エレメント５３３を浸漬させるための水が加湿トレイ５３２の所定の高さまで溜められる。
【０１３９】
加湿タンク５３１は、右方側から見ると概ね矩形状に形成されている（図７参照）。また、加湿タンク５３１は、前方側から見ると、左方側は概ね鉛直方向に延びる平面状に形成されている（図８参照）。また、加湿タンク５３１は、前方側から見ると、右方側は曲面状に形成されている（図８参照）。加湿タンク５３１の曲面状に形成された右側面５３１ｂ（図８参照）は、加湿エレメント５３３を通過した空気を、吹出口５１１ｂへと導くガイド面として機能する。具体的には、右側面５３１ｂの下部（右側面下部５３１ｂａ）は、左下方側に凹む湾曲面である。右側面下部５３１ｂａは、左方側ほど高くなるように形成された曲面である（図８参照）。右側面下部５３１ｂａは、左方側ほど傾斜が鉛直に近づくように傾きが変化する曲面である（図８参照）。右側面５３１ｂの上部（右側面上部５３１ｂｂ）は、右側面下部５３１ｂａと滑らかに接続された鉛直面である（図８参照）。右側面５３１ｂが、このような形状に形成されることで、加湿エレメント５３３を上斜め左向きに通過した空気が、大きな圧力損失を生じることなくケーシング５１１の上部の吹出口５１１ｂへと導かれる。
【０１４０】
（２−６−２）加湿トレイ
加湿トレイ５３２は、加湿タンク５３１から供給された水を受け取り、一時的に貯留する。加湿トレイ５３２には、具体的には、後述する加湿エレメント５３３に供給される水が貯留される。ケーシング５１１の第２側板５１１ｄは、加湿トレイ５３２の左方側の側壁を兼ねる。
【０１４１】
加湿トレイ５３２は、加湿エレメント５３３の下方に配置されている（図８参照）。加湿トレイ５３２は、図８に示すように、側方（図８では前方）から見た時に、概ねＵ字状に形成されている。加湿トレイ５３２は、ケーシング５１１の左方側に配置される（図８参照）。加湿トレイ５３２の右方側の側壁と、ケーシング５１１の内壁との間に第２開口Ｋ２が形成される（図８参照）。
【０１４２】
加湿トレイ５３２は、加湿トレイ５３２の右方側の下部の角部に、空気清浄フィルタ５２０を通過した空気を、加湿エレメント５３３へと導く湾曲した第２ガイド面５３２ａを有する（図８参照）。言い換えれば、加湿トレイ５３２は、第２開口Ｋ２と隣接する加湿トレイ５３２の下部側の角部に、空気清浄フィルタ５２０を通過した空気を、加湿エレメント５３３へと導く湾曲した第２ガイド面５３２ａを有する（図８参照）。具体的には、加湿トレイ５３２の右方側の下部の角部に曲面加工が施されている。
【０１４３】
前述した気流ガイド５２４の第１ガイド面５２４ｂと、第２ガイド面５３２ａとは、気流ガイド５２４と加湿トレイ５３２との間に生じる僅かな隙間Ｇを挟んで連続したカーブを描く。なお、加湿トレイ５３２の下面５３２ｂは、ケーシング５１１内に加湿ユニット５３０および空気清浄フィルタ５２０が取り付けられた状態で、空気清浄フィルタ５２０の上方への移動を規制する移動規制部として機能する。言い換えれば、移動規制部としての加湿トレイ５３２の下面５３２ｂは、気流ガイド５２４の上面５２４ｃと接触して、空気清浄フィルタ５２０の上方への移動を規制する。そのため、気流ガイド５２４と加湿トレイ５３２との間に生じる隙間はごく狭い。そのため、脱臭フィルタ５２２を通過し、第１ガイド面５２４ｂにガイドされた空気の大半は、第２開口Ｋ２に案内され加湿エレメント５３３へと導かれる。言い換えれば、第１ガイド面５２４ｂにガイドされた空気のほとんどは、気流ガイド５２４と加湿トレイ５３２との隙間を流れ、第１側板５１１ｃや第２側板５１１ｄと、ケーシング５１１との隙間等からケーシング５１１外に流出することがない。
【０１４４】
加湿トレイ５３２は、左方側に加湿タンク５３１を受け入れるタンク受け部５３２ｃを有する（図９参照）。タンク受け部５３２ｃには、注水口５３１ａを下に向けた状態の加湿タンク５３１が配置される（図８参照）。タンク受け部５３２ｃに装着される加湿タンク５３１の注水口５３１ａの給水弁は、タンク受け部５３２ｃに設けられた押し込みピン（図示せず）に押し当てられる。そして、加湿タンク５３１の重みによって、給水弁が押し込みピンにより押されて弁口が押し開けられ、注水口５３１ａが開状態になり、加湿トレイ５３２に水が供給される。
【０１４５】
加湿タンク５３１から供給された水は、加湿トレイ５３２の右方側の水供給部５３２ｄに供給される（図９参照）。水供給部５３２ｄは、加湿エレメント５３３の下方に配置される（図８参照）。水供給部５３２ｄは、タンク受け部５３２ｃにおいて加湿タンク５３１から供給された水を、加湿エレメント５３３に供給する部分である。
【０１４６】
水供給部５３２ｄと、タンク受け部５３２ｃとは、図示しない隔壁によって仕切られている。隔壁には切り欠きが形成されており、加湿タンク５３１からタンク受け部５３２ｃに供給された水は、切り欠きを介して水供給部５３２ｄに送られる。すなわち、ケーシング５１１の左面側に配置されたタンク受け部５３２ｃに供給された水は、その後、ケーシング５１１の右方側の水供給部５３２ｄへと送られる。水供給部５３２ｄには、加湿エレメント５３３を浸漬させるために、所定水位まで水が溜められる。水供給部５３２ｄの水位は、加湿タンク５３１内に水がある場合には、所定水位で維持されるように自動的に調節される。
【０１４７】
加湿トレイ５３２は、軸受部５３２ｅを有する（図１６参照）。軸受部５３２ｅは、後述する加湿エレメント５３３のロータ回転軸５３３ｃ（図１６参照）を回転自在に軸支する。なお、軸受部５３２ｅは、メンテナンス時等に加湿エレメント５３３を取り外すことができるように、ロータ回転軸５３３ｃを着脱自在に構成されている。具体的には、軸受部５３２ｅは、上方に開口するＵ字形状に形成されており、Ｕ字形状の開口部からからロータ回転軸５３３ｃの取り付け／取り外しが可能に構成されている（図１６参照）。
【０１４８】
加湿トレイ５３２の水供給部５３２ｄの前後の側面には、ガイドピン５３２ｆが各１本設けられている（図１６参照）。加湿トレイ５３２をケーシング５１１に取り付ける際には、ケーシング５１１の前後の内壁に設けられたＣ字形状のガイド５１１ｉ（図１６参照）に、Ｃ字形状の開口部からガイドピン５３２ｆがはめ込まれるように、加湿トレイ５３２がケーシング５１１の内部に押し込まれることで、加湿トレイ５３２が容易に所定の位置にセットされる。
【０１４９】
（２−６−３）加湿エレメント
加湿エレメント５３３は、供給された水を気化させて空気を加湿する。具体的には、加湿エレメント５３３は、加湿トレイ５３２に溜められた水の供給を受け、供給された水を気化させて空気を加湿する。
【０１５０】
加湿エレメント５３３は、加湿トレイ５３２の右方側に配置される。具体的には、加湿エレメント５３３は、加湿トレイ５３２の右方側に設けられた水供給部５３２ｄの上方に配置される。
【０１５１】
加湿エレメント５３３は、円形状に形成されている。加湿エレメント５３３は、主として、加湿フィルタ５３３ａ、加湿ロータ５３３ｂ、およびロータ回転軸５３３ｃを有する（図１６参照）。
【０１５２】
加湿フィルタ５３３ａは、不織布で形成された気化材である。加湿フィルタ５３３ａは、円形状に形成されている。加湿フィルタ５３３ａは、加湿トレイ５３２から供給される水を含み、水を気化させることにより空気を加湿する。
【０１５３】
加湿ロータ５３３ｂは、加湿フィルタ５３３ａの外周縁を囲んで、加湿フィルタ５３３ａを保持するフレームである。加湿ロータ５３３ｂは、加湿ロータ５３３ｂの中心に配置されるロータ回転軸５３３ｃと連結されている。
【０１５４】
ロータ回転軸５３３ｃは、一方側（左方側）は加湿トレイ５３２に設けられた軸受部５３２ｅにより回転自在に支持されている。他方側（右方側）には、六角形形状の連結部５３３ｄが形成されている。また、右方側の端部には、連結部５３３ｄと連続し、端部ほど細くなるように形成された先端部５３３ｅが形成されている。
【０１５５】
加湿トレイ５３２のケーシング５１１への取り付け時には、ロータ回転軸５３３ｃが、先端部５３３ｅ側から後述する加湿用モータ５３４の連結受部５３４ｂの穴５３４ｂａに挿入される（図１６参照）。そして、ロータ回転軸５３３ｃが、連結部５３３ｄが連結受部５３４ｂに到達するまで穴５３４ｂａに挿入されることで、連結部５３３ｄと連結受部５３４ｂとは連結される。具体的には、連結受部５３４ｂの穴５３４ｂａは、連結部５３３ｄの外形とほぼ同じ六角形形状の穴であり、連結部５３３ｄを連結受部５３４ｂに形成された穴５３４ｂａに挿入することで、連結受部５３４ｂに連結部５３３ｄが嵌合し、両者が連結される。連結受部５３４ｂと連結部５３３ｄとが連結されることで、ロータ回転軸５３３ｃと、後述する加湿用モータ５３４の駆動軸５３４ａとが連結される。そして、加湿用モータ５３４が駆動され、駆動軸５３４ａが回転すると、ロータ回転軸５３３ｃも回転する。なお、ここでは連結部５３３ｄと連結受部５３４ｂの穴５３４ｂａとが、六角形形状に形成されていることから、駆動軸５３４ａが回転した時に、連結受部５３４ｂは連結部５３３ｄに対して空回りすることなく回転する。
【０１５６】
なお、ここでは、ロータ回転軸５３３ｃが端部ほど細くなるように形成された先端部５３３ｅを有しているため、先端部５３３ｅがガイドとして機能し、ロータ回転軸５３３ｃを連結受部５３４ｂの穴５３４ｂａに挿入することが容易である。
【０１５７】
後述する加湿用モータ５３４からロータ回転軸５３３ｃに回転駆動力が伝達され、加湿エレメント５３３が回転すると、加湿エレメント５３３の加湿フィルタ５３３ａの周縁部が、加湿トレイ５３２の水供給部５３２ｄに溜まった水の中を通過する。加湿フィルタ５３３ａの周縁部が、加湿トレイ５３２の水供給部５３２ｄに溜まった水の中を通過する時、加湿フィルタ５３３ａは水供給部５３２ｄから水の供給を受ける。加湿エレメント５３３が回転することで、水供給部５３２ｄの上方に移動した加湿フィルタ５３３ａ部分には、送風装置５１２により送風された空気（空気清浄フィルタ５２０を通過した空気）が供給される。空気が加湿フィルタ５３３ａを通過する際、加湿フィルタ５３３ａに含まれていた水が気化し、これにより空気の加湿が行われる。
【０１５８】
（２−６−４）加湿用モータ
加湿用モータ５３４は、加湿エレメント５３３を回転駆動するためのモータである。
【０１５９】
加湿用モータ５３４は、ケーシング５１１内に設置されている。具体的には、加湿用モータ５３４は、加湿ユニット５３０の右方側において、ケーシング５１１に固定されている。
【０１６０】
加湿用モータ５３４は、駆動軸５３４ａに駆動力を伝達するように構成されている（図８参照）。加湿用モータ５３４が回転すると、駆動軸５３４ａが回転する。
【０１６１】
駆動軸５３４ａは、左方側に連結受部５３４ｂを有する（図８参照）。連結受部５３４ｂには、六角形形状の穴５３４ｂａが形成されている（図１６参照）。穴５３４ｂａの形状は、ロータ回転軸５３３ｃの断面形状とほぼ同一の形状である。なお、穴５３４ｂａは、ロータ回転軸５３３ｃの連結部５３３ｄが挿入できるように、連結部５３３ｄの断面形状よりは若干大きな六角形形状に形成されている。前述のように、ロータ回転軸５３３ｃの連結部５３３ｄが穴５３４ｂａに挿入されることで、駆動軸５３４ａとロータ回転軸５３３ｃとが連結される。
【０１６２】
（３）空気清浄機の動作および空気の流れ
以下、図１７および図１８を用いて、空気清浄機５１０の動作および空気清浄機５１０の動作に伴う空気の流れについて説明する。図１７および図１８中では、空気の流れを一点鎖線の矢印で示している。
【０１６３】
空気清浄機５１０の電源がオンに設定されると、送風装置５１２のファンモータ５１２ｂがファン５１２ａを回転させる。回転するファン５１２ａは空気を遠心方向に吹き出すため、ファン５１２ａの回転軸周りの圧力が低下し、ファン５１２ａの中心に位置するファン吸込口に空気が吸い込まれる。その結果、吸込口５１１ａからファン５１２ａの中心に位置するファン吸込口に向かう空気の流れが発生する。つまり、ファン５１２ａが回転することで、左面下部および右面下部に形成された吸込口５１１ａから、送風室Ｓ１内に空気が吸い込まれる。なお、この時、比較的大きな塵埃については、吸込口５１１ａに配置されたプレフィルタ５１１ａｃにより除去される。
【０１６４】
送風装置５１２のファン５１２ａの複数の羽根５１２ａｂ（図１０参照）から遠心方向に吹き出され、遠心方向に吹き出す空気は、スクロールケーシング５１２ｃにより第１開口Ｋ１へと導かれ、第１開口Ｋ１から空気清浄室Ｓ２内に送られる（図１７参照）。
【０１６５】
空気清浄室Ｓ２に送られた空気は、先ず、空気清浄フィルタ５２０の内、空気の流れ方向の上流側に配置された集塵フィルタ５２１を通過する。集塵フィルタ５２１は、空気に含まれる塵埃を除去する。
【０１６６】
なお、集塵フィルタ５２１に通過する空気の流れには、鉛直上向き方向の成分だけではなく、水平方向成分も含む。しかし、ここではプリーツ式の集塵フィルタ５２１の折り目５２１ａが延びる方向と、スクロールケーシング５１２ｃの舌部５１２ｃａの延びる方向（ファン５１２ａの回転軸方向）とが直交するため、集塵フィルタ５２１の全面に偏りなく空気を流すことが可能である。
【０１６７】
集塵フィルタ５２１を通過した空気は、更に空気の流れ方向の下流側の脱臭フィルタ５２２を通過する。脱臭フィルタ５２２によって、臭いの原因となる成分が脱臭フィルタ５２２に除去される。
【０１６８】
なお、空気が空気清浄フィルタ５２０（集塵フィルタ５２１および脱臭フィルタ５２２）を通過する際には、空気清浄フィルタ５２０の全面に静圧が作用し、空気は空気清浄フィルタ５２０を通過する。この際、空気清浄フィルタ５２０のうち第１開口Ｋ１と対向する部分における空気の速度が速まる。しかし、ここでは、第１開口Ｋ１と第２開口Ｋ２とが上面視でずれており、その重なり部分が十分に小さいので、第１実施形態においても説明したように、空気は空気清浄フィルタ５２０の全面を偏りなく通過しやすく、空気が通過しない又は速度が極端に小さくなる部分が発生することを抑制することができる。
【０１６９】
空気清浄フィルタ５２０を通過した空気は、その後、第２開口Ｋ２を通過して加湿室Ｓ３に送られる。この時、特に、脱臭フィルタ５２２の左方側を通過した空気は、気流ガイド５２４の第１ガイド面５２４ｂおよび加湿トレイ５３２の下部に形成された第２ガイド面５３２ａにより滑らかに第２開口Ｋ２へと導かれる（図１７参照）。なお、上述のように、気流ガイド５２４の上面５２４ｃと、加湿トレイ５３２の下面５３２ｂとは接触する関係にあるため、気流ガイド５２４と加湿トレイ５３２との間に隙間はほとんど形成されず、この隙間を通り、空気がケーシング５１１の開口と、第１側板５１１ｃや第２側板５１１ｄとの隙間を通ってケーシング５１１外に空気が逃げることはほとんどない。第１ガイド面５２４ｂおよび第２ガイド面５３２ａは、僅かな隙間Ｇを挟んで連続したカーブを描き、このカーブに沿って空気が滑らかに第２開口Ｋ２へと導かれる（図１７参照）。
【０１７０】
加湿室Ｓ３に送られた空気は、上方に向かって流れ、ケーシング５１１の上方に設けられた整流板５１１ｈによって、加湿エレメント５３３へと誘導される。なお、整流板５１１ｈにはバイパス開口５１１ｈａが２箇所に形成されているため（図１８参照）、空気の一部（例えば加湿室Ｓ３に流入した空気の２０％）は、バイパス開口５１１ｈａを通過して、加湿エレメント５３３は通過することなく、ケーシング５１１外へ導かれる（図１８参照）。整流板５１１ｈの加湿室Ｓ３とは反対側の面にはイオン発生器５４０が配置されており、イオン発生器５４０が発生したプラズマイオンは、バイパス開口５１１ｈａを通過した空気と共にケーシング５１１外に運ばれる。
【０１７１】
空気清浄機５１０の加湿機能が機能している場合、加湿用モータ５３４により加湿エレメント５３３が回転する。加湿エレメント５３３は、加湿トレイ５３２の水供給部５３２ｄにおいて、加湿エレメント５３３の下部が水中に浸漬するように配置されているので、加湿エレメント５３３が回転することによって、加湿フィルタ５３３ａの新たに水中に浸漬される部分が、加湿トレイ５３２の水を吸い上げる。加湿エレメント５３３を通過する空気は、加湿フィルタ５３３ａに浸み込んだ水の気化を促進させる。これにより、空気は加湿空気となる。
【０１７２】
加湿エレメント５３３を通過した加湿された空気は、加湿タンク５３１の右側面５３１ｂが空気のガイド面として機能することで、上斜め左方向の空気の流れは、垂直上向きの空気の流れとなって、吹出口５１１ｂから吹き出される（図１７参照）。
【０１７３】
なお、以上では、加湿機能がオンに設定される場合について説明したが、加湿機能がオフに設定される場合には、加湿エレメント５３３は回転せず、加湿エレメント５３３を通過する空気は、ほとんど加湿されることなく吹出口５１１ｂから吹き出される。
【０１７４】
（４）加湿ユニットおよび空気清浄フィルタの取り外し
次に、主に図１９および図２０を参照して、加湿ユニット５３０および空気清浄フィルタ５２０の取り外しについて説明する。図１９は、ケーシング５１１から加湿ユニット５３０および空気清浄フィルタ５２０を取り外す、取り外し作業を描画している。図１９では、ケーシング５１１の内部を前方向から見た断面図を用いて、加湿ユニット５３０および空気清浄フィルタ５２０の取り外し作業を描画している。図２０は、ケーシング５１１から加湿ユニット５３０を取り外す、取り外し作業を描画している。図２０では、ケーシング５１１を左前方から見た斜視図を用いて、加湿ユニット５３０の取り外し作業を描画している。
【０１７５】
図１９（ａ）および図２０（ａ）は、加湿ユニット５３０および空気清浄フィルタ５２０の取り外し作業開始前の空気清浄機５１０を示す。
【０１７６】
加湿ユニット５３０および空気清浄フィルタ５２０を取り外す際には、まず、ユーザーは第１側板５１１ｃの取っ手５１１ｃａを把持し、図１９（ｂ）および図２０（ｂ）に示すように、第１側板５１１ｃを、第１側板５１１ｃの上部が左方に傾くように開く。そして、第１側板５１１ｃと一体に形成された加湿タンク５３１を上斜め左方に抜き出すことで、加湿タンク５３１がケーシング５１１から取り外される（図１９（ｂ），図２０（ｃ）参照）。
【０１７７】
次に、図１９（ｃ）および図２０（ｄ）に示すように、加湿トレイ５３２がケーシング５１１から取り外される。具体的には、ユーザーは、加湿トレイ５３２の一部を構成する第２側板５１１ｄに設けられた取っ手５１１ｄａを把持し、加湿トレイ５３２を手前側（左側）に引き出す。この時、加湿エレメント５３３のロータ回転軸５３３ｃの連結部５３３ｄは、加湿用モータ５３４と連結された駆動軸５３４ａに設けられた連結受部５３４ｂから取り外される。ここでは、連結部５３３ｄは連結受部５３４ｂの穴５３４ｂａに挿入されているだけで、特に固定部材（例えばネジなど）により固定されていないため、連結部５３３ｄを穴５３４ｂａから容易に引きぬくことができる（図１６参照）。また、ここでは、加湿トレイ５３２の側面に設けられたガイドピン５３２ｆが、ケーシング５１１の内面に形成されたガイド５１１ｉに沿って移動するため、ユーザーはスムーズに加湿トレイ５３２を左方側に水平に引き出すことができる（図１６参照）。
【０１７８】
このようにして加湿エレメント５３３が軸受部５３２ｅに装着された加湿トレイ５３２をケーシング５１１から取り外すことで、ケーシング５１１の左方の開口５１５が大きく開いた状態になる（図１９（ｄ）および図２０（ｄ）参照）。また、加湿トレイ５３２が取り外されたケーシング５１１内の上部には、広い空間が形成される。言い換えると、ケーシング５１１から加湿トレイ５３２および加湿エレメント５３３が取り外されたことにより、加湿室Ｓ３に、空気清浄フィルタ５２０を移動させることが可能な空間が確保される。
【０１７９】
その後、図１９（ｄ）に示すように、まず空気清浄フィルタ５２０の脱臭フィルタ５２２がケーシング５１１から取り外される。具体的には、ユーザーは、フィルタケース５２３と一体に形成された気流ガイド５２４の上面の凹部５２４ｄを把持して、フィルタケース５２３をケーシング５１１の支持部５１１ｆから上方に持ちあげるとともに、フィルタケース５２３の右面に設けられた凸部５２３ａをケーシング５１１の凹部５１１ｇから抜き出す。次に、ユーザーは、凹部５２４ｄを把持して、フィルタケース５２３を脱臭フィルタ５２２の厚み方向（上方向）に移動させた後、加湿室Ｓ３内を移動させてケーシング５１１内部から取り外す。言い換えると、脱臭フィルタ５２２は、空気の流れ方向下流側に向けて引き上げられ、その後、開口５１５からケーシング５１１の外に取り出される。
【０１８０】
最後に、図１９（ｅ）に示すように、空気清浄フィルタ５２０の集塵フィルタ５２１がケーシング５１１から取り外される。具体的には、ユーザーは、集塵フィルタ５２１を、ケーシング５１１のフランジ部５１１ｅから持ちあげ、集塵フィルタ５２１の厚み方向（上方向）に移動させた後、加湿室Ｓ３内を移動させてケーシング５１１から取り外す。言い換えると、集塵フィルタ５２１は、空気の流れ方向下流側に向けて引き上げられ、その後、開口５１５を介してケーシング５１１の外に取り出される。
【０１８１】
（５）加湿ユニットおよび空気清浄フィルタの取り付け
次に、加湿ユニット５３０および空気清浄フィルタ５２０の取り付けについて説明する。なお、図１９および図２０内の図を逆の順序で見れば、加湿ユニット５３０および空気清浄フィルタ５２０の取り付け作業を描画することとなるので、ここでは加湿ユニット５３０および空気清浄フィルタ５２０の取り付け作業の状態を描画した図面は省略する。
【０１８２】
空気清浄フィルタ５２０および加湿ユニット５３０が全て取り外された状態を基準に、加湿ユニット５３０および空気清浄フィルタ５２０の取り付けを説明する。
【０１８３】
まず、初めに、空気清浄フィルタ５２０の集塵フィルタ５２１がケーシング５１１内に取り付けられる。具体的には、ユーザーは、集塵フィルタ５２１を、開口５１５から加湿室Ｓ３内に挿入した後、下方に移動させて、ケーシング５１１のフランジ部５１１ｅに戴置する（図１９（ｄ），（ｅ）参照）。
【０１８４】
次に、ユーザーは、集塵フィルタ５２１の上方において、フィルタケース５２３に収容された脱臭フィルタ５２２をケーシング５１１に取り付ける。
【０１８５】
具体的には、ユーザーは、フィルタケース５２３と一体に形成された気流ガイド５２４の凹部５２４ｄを把持し、右方側を下げた状態で、フィルタケース５２３を、開口５１５から加湿室Ｓ３内に挿入する。その後、ユーザーは、フィルタケース５２３の下面の右方側を、集塵フィルタ５２１の周縁部５２１ｂ（図１１参照）の上面５２１ｂｂ（図１９（ｄ）参照）に摺動させながら、フィルタケース５２３を左方側から右方側に向かって移動させる。また、この時、ユーザーは、フィルタケース５２３の左方側を次第に下方に下ろしながら、フィルタケース５２３を左方側から右方側に向かって移動させる。フィルタケース５２３は、集塵フィルタ５２１上を、フィルタケース５２３に形成された凸部５２３ａが、ケーシング５１１に設けられた凹部５１１ｇに嵌合するまで右方に動かされる。凸部５２３ａが凹部５１１ｇに嵌合した状態では、フィルタケース５２３の左方側を下降させ、支持部５１１ｆに戴置することができる。一方、凸部５２３ａが凹部５１１ｇに嵌合していない状態では、フィルタケース５２３の左方側がケーシング５１１の内面と干渉し、フィルタケース５２３をケーシング５１１内に収容できない。
【０１８６】
なお、仮に、集塵フィルタ５２１を取り付けられていない状態で、フィルタケース５２３を取り付けようとする場合には、下方側でフィルタケース５２３を支持する構造が存在せず、フィルタケース５２３の凸部５２３ａを凹部５１１ｇへとガイドする構造が存在しない。そのため、集塵フィルタ５２１を取り付けないままにフィルタケース５２３を取り付けようとすると、図２１のようにフィルタケース５２３の右方側が容易に下方に落ち込んでしまい、フィルタケース５２３を正しい位置に取り付けることが困難である。
【０１８７】
フィルタケース５２３に収容された脱臭フィルタ５２２が、ケーシング５１１に取り付けられた状態、すなわち、フィルタケース５２３の凸部５２３ａがケーシング５１１の凹部５１１ｇに嵌合し、フィルタケース５２３の左方側が支持部５１１ｆに支持された状態では、フィルタケース５２３は、集塵フィルタ５２１の周縁部５２１ｂ（図１１参照）の上面５２１ｂｂ（図７参照）と接触した状態にある。さらに後述するように、加湿トレイ５３２および加湿タンク５３１がケーシング５１１に取り付けられた状態では、加湿トレイ５３２の下面５３２ｂは、フィルタケース５２３と一体に形成された気流ガイド５２４の上面５２４ｃと接触した状態にある。フィルタケース５２３の上方への移動が、加湿トレイ５３２および加湿タンク５３１により規制され、更にフィルタケース５２３と集塵フィルタ５２１の周縁部５２１ｂの上面５２１ｂｂとが接触した状態にあることで、空気の流れにより集塵フィルタ５２１に浮き上がるような力が作用しても、集塵フィルタ５２１の上方への移動が妨げられる。
【０１８８】
空気清浄フィルタ５２０の取り付けが終了すると、加湿トレイ５３２がケーシング５１１に取り付けられる（図１９（ｃ）、図２０（ｄ）参照）。具体的には、ユーザーは、加湿トレイ５３２の一部を構成する第２側板５１１ｄに設けられた取っ手５１１ｄａを把持し、加湿トレイ５３２に設けられたガイドピン５３２ｆが、ケーシング５１１の前後の内壁に設けられたガイド５１１ｉに嵌り込み、加湿エレメント５３３のロータ回転軸５３３ｃの先端部５３３ｅが、加湿用モータ５３４と連結された駆動軸５３４ａの連結受部５３４ｂの穴５３４ｂａに挿入されるように（図１６参照）、加湿トレイ５３２を右方に向かって水平に動かす。ここでは、ガイド５１１ｉおよび連結受部５３４ｂがガイドとして機能し、加湿トレイ５３２を水平方向に移動させることが容易である。なお、連結部５３３ｄが穴５３４ｂａに挿入される際に、連結部５３３ｄの六角形形状の向きと、六角形形状の穴５３４ｂａの向きとが一致していない場合には、加湿エレメント５３３が、連結部５３３ｄの六角形形状の向きと六角形形状の穴５３４ｂａの向きとが一致するように回転し、これにより連結部５３３ｄと連結受部５３４ｂとが連結される。
【０１８９】
加湿トレイ５３２がケーシング５１１に取り付けられた状態では、加湿トレイ５３２の下面５３２ｂは、フィルタケース５２３と一体に形成された気流ガイド５２４の上面５２４ｃと接触した状態にある。加湿トレイ５３２と気流ガイド５２４の上面５２４ｃとが接触した状態にあることで、空気の流れにより空気清浄フィルタ５２０に浮き上がるような力が作用しても、空気清浄フィルタ５２０の上方への移動が妨げられる。つまりここでは、加湿トレイ５３２の下面５３２ｂが、空気清浄フィルタ５２０の上方への移動を規制する移動規制部として機能する。
【０１９０】
最後に、ユーザーは第１側板５１１ｃの取っ手５１１ｃａを把持し、加湿タンク５３１と一体に形成された第１側板５１１ｃの下部側を、第１側板５１１ｃの上部が左方に傾くような状態で第２側板５１１ｄの上部側に係合させる（図１９（ｂ）、図２０（ｂ）参照）。次に、第１側板５１１ｃが鉛直になるように立てることで、ケーシング５１１の開口５１５が閉じられる（図１９（ａ）、図２０（ａ）参照）。
【０１９１】
（６）特徴
（６−１）
上記実施形態に係る空気清浄機５１０は、湿度調節機能を有する空気清浄機であって、空気清浄フィルタ５２０と、加湿エレメント５３３と、ファン５１２ａとを備えている。空気清浄フィルタ５２０は、空気に含まれる塵埃を除去する。加湿エレメント５３３は、供給された水を気化させて加湿する。ファン５１２ａは、空気清浄フィルタ５２０および加湿エレメント５３３に送風する。空気清浄機５１０では、下方からファン５１２ａ、空気清浄フィルタ５２０および加湿エレメント５３３の順に、これらが配置されている。
【０１９２】
この空気清浄機５１０では、下方の送風室Ｓ１からファン５１２ａによって吸い込まれた空気が、上方の空気清浄室Ｓ２の空気清浄フィルタ５２０を通過した後、さらに上方の加湿室Ｓ３の加湿エレメント５３３を通過して吹き出される。音源である送風装置５１２が最下方に位置するので、ファンモータ５１２ｂ及びファン５１２ａから発せられる音が空気清浄フィルタ５２０および加湿エレメント５３３によって減衰させられ、騒音が抑制される。
【０１９３】
（６−２）
上記実施形態に係る空気清浄機５１０は、本体ケーシングの一例としてのケーシング５１１を備えている。ケーシング５１１は、空気清浄フィルタ５２０、加湿エレメント５３３およびファン５１２ａを収納する。また、ケーシング５１１は、送風室Ｓ１と、空気清浄室Ｓ２と、加湿室Ｓ３と、第１開口Ｋ１と、第２開口Ｋ２とを有している。送風室Ｓ１には、ファン５１２ａが配置される。空気清浄室Ｓ２には、空気清浄フィルタ５２０が配置される。加湿室Ｓ３には、加湿エレメント５３３が配置される。第１開口Ｋ１は、送風室Ｓ１から空気清浄室Ｓ２へ空気を通す。第２開口Ｋ２は、空気清浄室Ｓ２から加湿室Ｓ３へ空気を通す。第１開口Ｋ１と第２開口Ｋ２とが上面視においてずれている。
【０１９４】
上記実施形態に係る空気清浄機５１０では、空気清浄室Ｓ２に入った空気によって空気清浄フィルタ５２０の全面に静圧が作用し、空気は空気清浄フィルタ５２０を通過する。送風室Ｓ１と空気清浄室Ｓ２との間の第１開口Ｋ１と、空気清浄室Ｓ２と加湿室Ｓ３との間の第２開口Ｋ２とが上面視においてずれているので、ずれていないものに比べて、空気が空気清浄フィルタ５２０を通過する際の速度分布がより裾野の広い分布となり、空気が通過しない又は速度が極端に小さくなる部分が減少する。
【０１９５】
（６−３）
上記実施形態に係る空気清浄機５１０では、第１開口Ｋ１は空気清浄フィルタ５２０の中心に対して一側方（左方）にずれており、第２開口Ｋ２は空気清浄フィルタ５２０の中心に対してその一側方とは反対側（右方）にずれている。
【０１９６】
ここでは、第１開口Ｋ１と第２開口Ｋ２とが、空気清浄フィルタ５２０の中心に対して互いに反対側にずれているので、ずれていないものに比べて、空気が空気清浄フィルタ５２０を通過する際の速度分布がより裾野の広い分布となり、空気が通過しない又は速度が極端に小さくなる部分が減少する。
【０１９７】
（６−４）
上記実施形態に係る空気清浄機５１０では、送風室Ｓ１には、ファン５１２ａを駆動するファンモータ５１２ｂがさらに配置されている。加湿室Ｓ３には、加湿エレメント５３３に水を供給する貯水タンクの一例としての加湿タンク５３１がさらに配置されている。ファンモータ５１２ｂは空気清浄フィルタ５２０の中心に対して一側方にずれており、加湿タンク５３１は空気清浄フィルタ５２０の中心に対してその一側方とは反対側にずれている。
【０１９８】
この空気清浄機５１０では、重量のあるファンモータ５１２ｂと加湿タンク５３１とが上面視において同一側に偏っておらず、互いに反対方向に離れているので、ケーシング５１１の直立安定性がよい。
【０１９９】
（６−５）
上記実施形態に係る空気清浄機５１０では、空気清浄フィルタ５２０の水平投影面積は、空気清浄室Ｓ２の水平投影面積の８０％以上である。第１開口Ｋ１の面積は、空気清浄室Ｓ２の水平投影面積の２０％〜３０％の範囲に設定されている。第２開口Ｋ２の面積は、空気清浄室Ｓ２の水平投影面積の４０％〜５０％の範囲に設定されている。
【０２００】
ここでは、第１開口Ｋ１に比べて第２開口Ｋ２を大きく設定することによって、且つ、それらが上面視においてずれることによって、重なり部分がゼロになり又は縮小するので、空気が空気清浄フィルタ５２０を通過する際の速度分布は、より裾野の広い分布となり、空気が通過しない又は速度が極端に小さくなる部分が減少し、空気清浄フィルタ５２０の全面を偏りなく空気を流すことができる。
【０２０１】
（６−６）
上記実施形態に係る空気清浄機５１０では、ファン５１２ａがシロッコファンである。そのため、風量が安定する。
【０２０２】
（６−７）
上記実施形態に係る空気清浄機５１０では、空気清浄フィルタ５２０の上方に配置される気流ガイド５２４を更に備える。気流ガイド５２４は、空気清浄フィルタ５２０を通過した空気を加湿エレメント５３３へと導く湾曲した第１ガイド面５２４ｂを有する。
【０２０３】
ここでは、気流ガイド５２４を設けることで、空気清浄フィルタ５２０を通過した空気を加湿エレメント５３３へと滑らかに導くことが容易で、圧力損失を抑制しながら加湿エレメント５３３へと空気を導くことができる。
【０２０４】
（６−８）
上記実施形態に係る空気清浄機５１０では、気流ガイド５２４は、空気清浄フィルタ５２０の一部、ここでは具体的には脱臭フィルタ５２２を収容するフィルタケース５２３と一体に形成される。
【０２０５】
ここでは、空気清浄フィルタ５２０を収容するフィルタケース５２３と気流ガイド５２４とが一体に形成されるため、空気清浄フィルタ５２０を通過した空気を他の経路に逃すことなく加湿エレメント５３３へと導くことが容易である。
【０２０６】
（６−９）
上記実施形態に係る空気清浄機５１０では、加湿エレメント５３３の下方に配置され、加湿エレメント５３３に供給される水を貯留する水貯留トレイの一例としての加湿トレイ５３２を更に備える。加湿トレイ５３２は、加湿トレイ５３２の下部に、空気清浄フィルタ５２０を通過した空気を加湿エレメント５３３へと導く湾曲した第２ガイド面５３２ａを有する。
【０２０７】
ここでは、加湿トレイ５３２の下部に第２ガイド面５３２ａを設けることで、空気清浄フィルタ５２０を通過した空気を加湿エレメント５３３へと滑らかに導くことが容易で、圧力損失を抑制しながら加湿エレメント５３３へと空気を導くことができる。
【０２０８】
特に、上記実施形態に係る空気清浄機５１０では、気流ガイド５２４の第１ガイド面５２４ｂおよび加湿トレイ５３２の第２ガイド面５３２ａは、隙間Ｇ（気流ガイド５２４と加湿トレイ５３２との隙間）を挟んで連続したカーブを描く。
【０２０９】
この空気清浄機５１０では、第１ガイド面５２４ｂおよび第２ガイド面５３２ａが連続したカーブを描くことで、空気清浄フィルタ５２０を通過した空気を加湿エレメント５３３へと滑らかに導くことが容易で、圧力損失を抑制しながら加湿エレメントへと空気を導くことができる。
【０２１０】
（６−１０）
上記実施形態に係る空気清浄機５１０では、ケーシング５１１には、第２開口Ｋ２の上方に、加湿室Ｓ３から加湿エレメント５３３を通過させずにケーシング５１１外に空気を導く、バイパス開口５１１ｈａが形成される。
【０２１１】
ここでは、バイパス開口５１１ｈａが第２開口Ｋ２の上方に設けられるため、圧力損失をほとんど生じさせることなく、空気の一部をバイパス開口５１１ｈａからケーシング５１１外に導くことができる。そのため、空気清浄フィルタ５２０に大きな風量の空気を通過させることが容易である。
【０２１２】
さらに、ここでは、上面視において第１開口Ｋ１と第２開口Ｋ２とをずらして配置していることから、空気清浄フィルタ５２０の全面に偏りなく大きな風量の空気を通過させ、効率よく空気からの塵埃の除去処理を行うことができる。
【０２１３】
（７）変形例
以下に、第２実施形態の空気清浄機５１０の変形例を示す。なお、変形例は、矛盾のない範囲で第１実施形態の空気清浄機１０に適用されてもよい。
【０２１４】
（７−１）変形例Ａ
上記実施形態では、気流ガイド５２４はフィルタケース５２３と一体に形成されているが、これに限定されるものではない。例えば、気流ガイド５２４は、加湿トレイ５３２の下面５３２ｂに設けられてもよい。また、例えば、気流ガイド５２４は、フィルタケース５２３や加湿トレイ５３２とは別部材であってもよい。
【０２１５】
ただし、気流ガイド５２４を加湿トレイ５３２の下面に設ける場合には、ケーシング５１１の開口５１５を大きく形成する必要となるため、気流ガイド５２４はフィルタケース５２３と一体に形成されることが好ましい。
【０２１６】
また、部品点数の削減や、メンテナンス性の観点からは、気流ガイド５２４は別部材ではなく、フィルタケース５２３等と一体に形成されることが好ましい。また、気流ガイド５２４を別部材とすると、空気が通過する隙間が形成されやすくなり、最終的にケーシングの隙間等から外部に空気が流出しやすくなるため、気流ガイド５２４は別部材ではなく、フィルタケース５２３等と一体に形成されることがより好ましい。
【０２１７】
（７−２）変形例Ｂ
上記実施形態では、空気清浄機５１０は、第１ガイド面５２４ｂおよび第２ガイド面５３２ａを有するが、これに限定されるものではない。空気清浄機５１０は、第１ガイド面５２４ｂおよび第２ガイド面５３２ａのいずれか一方のみを有してもよい。ただし、空気清浄フィルタ５２０を通過した空気を、加湿エレメント５３３へと圧力損失を抑制しつつ導くためには、第１ガイド面５２４ｂおよび第２ガイド面５３２ａの両方が設けられることが好ましい。
【０２１８】
（７−３）変形例Ｃ
上記実施形態では、ケーシング５１１の整流板５１１ｈにバイパス開口５１１ｈａが形成されているが、これに限定されるものではなく、バイパス開口５１１ｈａは形成されなくてもよい。ただし、空気清浄フィルタ５２０を通過する空気の量を増やし、効率よく空気の清浄化を行うためには、バイパス開口５１１ｈａが設けられることが好ましい。
【０２１９】
（７−４）変形例Ｄ
上記実施形態では、空気清浄フィルタ５２０には脱臭フィルタ５２２も含まれるが、これに限定されるものではなく、空気清浄フィルタ５２０は集塵フィルタ５２１のみを有するものであってもよい。この場合には、集塵フィルタ５２１がフィルタケース５２３に収容されるように構成されてもよい。
【０２２０】
（７−５）変形例Ｅ
上記実施形態では、フィルタケース５２３に凸部５２３ａが、ケーシング５１１に凹部５１１ｇが、それぞれ設けられ、凹部５１１ｇに凸部５２３ａが嵌合するが、これに限定されるものではない。例えば、フィルタケース５２３に凹部が、ケーシング５１１に凸部がそれぞれ設けられ、フィルタケース５２３の凹部に、ケーシング５１１の凸部が嵌合するように構成されてよい。
【０２２１】
（７−６）変形例Ｆ
上記実施形態では、加湿ユニット５３０に、加湿トレイ５３２の水供給部５３２ｄにおいて、加湿エレメント５３３の加湿フィルタ５３３ａを水に浸漬させる方式が用いられているが、これに限定されるものではない。
【０２２２】
例えば、加湿ユニット５３０には、加湿ロータヒシャク方式が採用されてもよい。
【０２２３】
具体的に、加湿ロータヒシャク方式の加湿ユニット５３０では、加湿エレメント５３３の加湿ロータ５３３ｂに複数のヒシャク５３３ｂａが設けられる（図２２参照）。加湿ロータヒシャク方式においては、加湿フィルタ５３３ａが直接水に浸漬されるのではなく、加湿ロータ５３３ｂが回転した時に、ヒシャク５３３ｂａが加湿トレイ５３２の水供給部５３２ｄにおいて水をすくい上げる。そして、加湿ロータ５３３ｂが更に回転し、ヒシャク５３３ｂａが最上位置付近に移動した時に、ヒシャク５３３ｂａが加湿フィルタ５３３ａに水をかけることで、加湿フィルタ５３３ａに水が供給される。
【０２２４】
（７−７）変形例Ｇ
上記実施形態の気流ガイド５２４の形状は、例示であってこれに限定されるものではない。例えば、気流ガイド５２４は、加湿トレイ５３２の第２開口Ｋ２側の下部、より具体的には、加湿トレイ５３２の、第２開口Ｋ２と隣接する側の下部側の角部、を覆うように形成された延長部５２４ｅを有してもよい（図２３および図２４参照）。延長部５２４ｅの左側面は、加湿トレイ５３２の、第２開口Ｋ２と隣接する側の下部側の角部および右側面下部と対向する。延長部５２４ｅの右側面は、空気清浄フィルタ５２０を通過した空気を加湿エレメント５３３へと導く湾曲した延長ガイド面５２４ｅａとして機能する（図２４参照）。延長ガイド面５２４ｅａは、第１ガイド面５２４ｂと連続したカーブを描く（図２４参照）。
【０２２５】
このように構成されることで、空気清浄フィルタ５２０を通過した空気を、気流ガイド５２４と加湿トレイ５３２との間に生じる隙間Ｇへと流すことを防止することが容易である。また、第１ガイド面５２４ｂと、空気の流れ方向における第１ガイド面５２４ｂの下流側に、第１ガイド面５２４ｂと連続したカーブを描くように形成される延長ガイド面５２４ｅａと、により、圧力損失を抑制しながら加湿エレメント５３３へと空気を導くことができる。
【産業上の利用可能性】
【０２２６】
以上のように、本発明によれば、ファンモータ２６及びファンロータ２５から発せられる音が空気清浄フィルタ２２および加湿エレメント２４によって減衰させられる。また、本発明によれば、ファンモータ５１２ｂ及びファン５１２ａから発せられる音が、空気清浄フィルタ５２０および加湿エレメント５３３によって減衰させられる。これは、吸湿エレメントを使用する除湿機への適用も可能である。
【符号の説明】
【０２２７】
１０，５１０  空気清浄機
２２，５２０  空気清浄フィルタ
２４，５３３  加湿エレメント
２５  ファンロータ（ファン）
２６，５１２ｂ  ファンモータ
３１  本体ケーシング
３１ａ，Ｓ１  送風室
３１ｂ，Ｓ２  空気清浄室
３１ｃ，Ｓ３  加湿室
４０  タンク（貯水タンク）
３１１，Ｋ１  第１開口
３１２，Ｋ２  第２開口
５１１  ケーシング（本体ケーシング）
５１１ｈａ  バイパス開口
５１２ａ  ファン
５２３  フィルタケース
５２４  気流ガイド
５２４ｂ  第１ガイド面
５３１  加湿タンク（貯水タンク）
５３２  加湿トレイ（水貯留トレイ）
５３２ａ  第２ガイド面
Ｇ  隙間
【先行技術文献】
【特許文献】
【０２２８】
【特許文献１】特開２０１０−１７６８５号公報
【図１】
0005862717.tif 000002
【図２】
0005862717.tif 000003
【図３】
0005862717.tif 000004
【図４】
0005862717.tif 000005
【図５Ａ】
0005862717.tif 000006
【図５Ｂ】
0005862717.tif 000007
【図６】
0005862717.tif 000008
【図７】
0005862717.tif 000009
【図８】
0005862717.tif 000010
【図９】
0005862717.tif 000011
【図１０】
0005862717.tif 000012
【図１１】
0005862717.tif 000013
【図１２】
0005862717.tif 000014
【図１３】
0005862717.tif 000015
【図１４】
0005862717.tif 000016
【図１５】
0005862717.tif 000017
【図１６】
0005862717.tif 000018
【図１７】
0005862717.tif 000019
【図１８】
0005862717.tif 000020
【図１９】
0005862717.tif 000021
【図２０】
0005862717.tif 000022
【図２１】
0005862717.tif 000023
【図２２】
0005862717.tif 000024
【図２３】
0005862717.tif 000025
【図２４】
0005862717.tif 000026